(57)【要約】  本開示の実施例は、物理下り制御チャネルのモニタリング方法、ユーザ機器、及びネットワーク側機器に関する。該方法は、ネットワーク側から物理層シグナリング又はＭＡＣ層シグナリングを受信するステップと、該物理層シグナリング又はＭＡＣ層シグナリングに基づいて、該ＵＥによるＰＤＣＣＨに対するモニタリング動作を決定するステップとを含み、該物理層シグナリング又はＭＡＣ層シグナリングは、該ＵＥ又は該ＵＥを含む複数のＵＥによるＰＤＣＣＨに対するモニタリング動作を指示する。
2021520143.tif 000002
【特許請求の範囲】
【請求項１】
ユーザ機器ＵＥにおける、スロットフォーマット指示子ＳＦＩの決定方法であって、
ネットワーク側から物理層シグナリング又は媒体アクセス制御ＭＡＣ層シグナリングを受信するステップと、
前記物理層シグナリング又はＭＡＣ層シグナリングに基づいて、前記ＵＥのＳＦＩを決定するステップとを含み、
前記物理層シグナリング又はＭＡＣ層シグナリングは前記ＵＥ又は前記ＵＥを含む複数のＵＥのＳＦＩを指示する、方法。
【請求項２】
前記ネットワーク側から物理層シグナリングを受信するステップは、
第１の下り制御情報ＤＣＩフォーマットを有する物理下り制御チャネルＰＤＣＣＨ上の物理層シグナリングを受信するステップを含む、請求項１に記載の方法。
【請求項３】
前記第１のＤＣＩフォーマットのＰＤＣＣＨの巡回冗長検査ＣＲＣは、ＵＥ個別無線ネットワーク一時的識別子ＲＮＴＩによってスクランブルされるか、又は、前記第１のＤＣＩフォーマットのＰＤＣＣＨのＣＲＣは、複数のＵＥに対応するＲＮＴＩによってスクランブルされる、請求項２に記載の方法。
【請求項４】
前記第１のＤＣＩフォーマットのビットは、
第１のＤＣＩフォーマットの識別子と、
１つ又は複数のスロットフォーマット指示子とを含み、
前記１つ又は複数のスロットフォーマット指示子は、前記ＵＥの後続のＮ個のスロットにおけるスロットフォーマットに対応するか、又は前記ＵＥを含む複数のＵＥの後続のＮ個のスロットにおけるスロットフォーマットに対応し、
Ｎは１以上である、請求項２に記載の方法。
【請求項５】
前記ＳＦＩによって指示される時間領域シンボルが、上りシンボル及び／又はフレキシブルシンボルである場合、前記ＵＥは前記ＳＦＩによって指示される前記時間領域シンボルでＰＤＣＣＨをモニターしないステップをさらに含む、請求項１に記載の方法。
【請求項６】
前記物理層シグナリング又は媒体アクセス制御ＭＡＣ層シグナリングが受信される第１スロットと、前記ＳＦＩが有効となる第２スロットとの間に第１間隔が存在し、
前記第１間隔は、規格によって予め定義された０個のスロット又は固定数のスロットであるか、又は前記第１間隔の長さが前記ネットワーク側によって設定される、請求項１に記載の方法。
【請求項７】
ネットワーク側機器における、スロットフォーマット指示子ＳＦＩの設定方法であって、
１つ又は複数のユーザ機器ＵＥに物理層シグナリング又は媒体アクセス制御ＭＡＣ層シグナリングを送信するステップを含み、
前記物理層シグナリング又はＭＡＣ層シグナリングは、前記１つ又は複数のＵＥのＳＦＩを指示する、方法。
【請求項８】
前記１つ又は複数のＵＥに物理層シグナリングを送信するステップは、
第１の下り制御情報ＤＣＩフォーマットを有する物理下り制御チャネルＰＤＣＣＨで１つ又は複数のＵＥに物理層シグナリングを送信するステップを含む、請求項７に記載の方法。
【請求項９】
前記第１のＤＣＩフォーマットのＰＤＣＣＨの巡回冗長検査ＣＲＣは、ＵＥ個別無線ネットワーク一時的識別子ＲＮＴＩによってスクランブルされるか、又は、前記第１のＤＣＩフォーマットのＰＤＣＣＨのＣＲＣは、複数のＵＥに対応するＲＮＴＩによってスクランブルされる、請求項８に記載の方法。
【請求項１０】
前記第１のＤＣＩフォーマットのビットは、
第１のＤＣＩフォーマットの識別子と、
１つ又は複数のスロットフォーマット指示子とを含み、
前記１つ又は複数のスロットフォーマット指示子は、１つのＵＥの後続のＮ個のスロットにおけるスロットフォーマットに対応するか、又は複数のＵＥの後続のＮ個のスロットにおけるスロットフォーマットに対応し、
Ｎは１以上である、請求項８に記載の方法。
【請求項１１】
前記ＳＦＩによって指示される時間領域シンボルが、上りシンボル及び／又はフレキシブルシンボルである場合、前記ＵＥは前記ＳＦＩによって指示される前記時間領域シンボルでＰＤＣＣＨをモニターしないことを示す、請求項７に記載の方法。
【請求項１２】
ユーザ機器ＵＥにおける、物理下り制御チャネルのモニタリング方法であって、
ネットワーク側から物理層シグナリング又は媒体アクセス制御ＭＡＣ層シグナリングを受信するステップと、
前記物理層シグナリング又はＭＡＣ層シグナリングに基づいて、前記ＵＥによる物理下り制御チャネルＰＤＣＣＨに対するモニタリング動作を決定するステップとを含み、
前記物理層シグナリング又はＭＡＣ層シグナリングは、前記ＵＥ又は前記ＵＥを含む複数のＵＥによるＰＤＣＣＨに対するモニタリング動作を指示する、方法。
【請求項１３】
前記ネットワーク側から物理層シグナリングを受信するステップは、
第２の下り制御情報ＤＣＩフォーマットを有するＰＤＣＣＨ上の物理層シグナリングを受信するステップを含む、請求項１２に記載の方法。
【請求項１４】
前記第２のＤＣＩフォーマットのＰＤＣＣＨの巡回冗長検査ＣＲＣは、ＵＥ個別無線ネットワーク一時的識別子ＲＮＴＩによってスクランブルされるか、又は、前記第２のＤＣＩフォーマットのＰＤＣＣＨのＣＲＣは、複数のＵＥに対応するＲＮＴＩによってスクランブルされる、請求項１３に記載の方法。
【請求項１５】
前記物理層シグナリング又はＭＡＣ層シグナリングは、前記ＵＥ又は前記ＵＥを含む複数のＵＥによるＰＤＣＣＨに対するモニタリング動作を指示するステップは、
前記物理層シグナリング又はＭＡＣ層シグナリングは、前記ＵＥ又は前記ＵＥを含む複数のＵＥによる、後続のＮ個のスロットにおけるＰＤＣＣＨに対するモニタリング動作を指示するステップと、
前記物理層シグナリング又はＭＡＣ層シグナリングは、前記ＵＥ又は前記ＵＥを含む複数のＵＥによる、後続のＮ個のスロットにおける１種又は複数種のＤＣＩフォーマットを有するＰＤＣＣＨに対するモニタリング動作を指示するステップと、
前記物理層シグナリング又はＭＡＣ層シグナリングは、前記ＵＥ又は前記ＵＥを含む複数のＵＥによる、後続のＮ個のスロットにおける１種又は複数種のＲＮＴＩタイプを有するＰＤＣＣＨに対するモニタリング動作を指示するステップと、
前記物理層シグナリング又はＭＡＣ層シグナリングは、前記ＵＥ又は前記ＵＥを含む複数のＵＥによる、後続のＮ個のスロットにおける１つ又は複数のサーチスペースに属するＰＤＣＣＨに対するモニタリング動作を指示するステップと、
前記物理層シグナリング又はＭＡＣ層シグナリングは、前記ＵＥ又は前記ＵＥを含む複数のＵＥによる、後続のＮ個のスロットにおける１種又は複数種のサーチスペースタイプに属するＰＤＣＣＨに対するモニタリング動作を指示するステップとのうち、少なくとも１つを含み、
Ｎは１以上である、請求項１２に記載の方法。
【請求項１６】
前記モニタリング動作は、
前記後続のＮ個のスロットで前記ＰＤＣＣＨをモニターするか否かと、
前記後続のＮ個のスロットの対象時間領域シンボルとを含み、
前記ＵＥ又は前記ＵＥを含む複数のＵＥは、前記対象時間領域シンボルで前記ＰＤＣＣＨをモニターする、請求項１５に記載の方法。
【請求項１７】
前記後続のＮ個のスロットは、
後続のＮ個の、連続又は不連続なスロットと、
後続のＮ個の、連続又は不連続な下りスロットと、
後続のＮ個の、連続又は不連続な下りスロット及び／又はフレキシブルスロットとのうち、少なくとも１つを含み、
前記下りスロットに含まれる時間領域シンボルは、下りシンボル又はフレキシブルシンボルである、請求項１５に記載の方法。
【請求項１８】
前記物理層シグナリング又は媒体アクセス制御ＭＡＣ層シグナリングが受信される第３スロットと、前記後続のＮ個のスロットのうち最初のスロットとの間に第２間隔が存在し、
前記第２間隔は、規格によって予め定義された０個のスロット又は固定数のスロットであるか、又は前記第２間隔の長さがネットワーク側によって設定される、請求項１５に記載の方法。
【請求項１９】
ネットワーク側機器における、下り制御チャネルのモニタリングモードの設定方法であって、
１つ又は複数のユーザ機器ＵＥに物理層シグナリング又は媒体アクセス制御ＭＡＣ層シグナリングを送信するステップを含み、
前記物理層シグナリング又はＭＡＣ層シグナリングは、１つ又は複数のＵＥによる物理下り制御チャネルＰＤＣＣＨに対するモニタリング動作を指示する、方法。
【請求項２０】
前記１つ又は複数のＵＥに物理層シグナリングを送信するステップは、
第２の下り制御情報ＤＣＩフォーマットを有するＰＤＣＣＨで１つ又は複数のＵＥに物理層シグナリングを送信するステップを含む、請求項１９に記載の方法。
【請求項２１】
前記第２のＤＣＩフォーマットのＰＤＣＣＨの巡回冗長検査ＣＲＣは、ＵＥ個別無線ネットワーク一時的識別子ＲＮＴＩによってスクランブルされるか、又は、前記第２のＤＣＩフォーマットのＰＤＣＣＨのＣＲＣは、複数のＵＥに対応するＲＮＴＩによってスクランブルされる、請求項２０に記載の方法。
【請求項２２】
前記物理層シグナリング又はＭＡＣ層シグナリングが、１つ又は複数のＵＥによるＰＤＣＣＨに対するモニタリング動作を指示するステップは、
前記物理層シグナリング又はＭＡＣ層シグナリングは、１つ又は複数のＵＥによる、後続のＮ個のスロットにおけるＰＤＣＣＨに対するモニタリング動作を指示するステップと、
前記物理層シグナリング又はＭＡＣ層シグナリングは、１つ又は複数のＵＥによる、後続のＮ個のスロットにおける１種又は複数種のＤＣＩフォーマットを有するＰＤＣＣＨに対するモニタリング動作を指示するステップと、
前記物理層シグナリング又はＭＡＣ層シグナリングは、１つ又は複数のＵＥによる、後続のＮ個のスロットにおける１種又は複数種のＲＮＴＩタイプを有するＰＤＣＣＨに対するモニタリング動作を指示するステップと、
前記物理層シグナリング又はＭＡＣ層シグナリングは、１つ又は複数のＵＥによる、後続のＮ個のスロットにおける１つ又は複数のサーチスペースに属するＰＤＣＣＨに対するモニタリング動作を指示するステップと、
前記物理層シグナリング又はＭＡＣ層シグナリングは、１つ又は複数のＵＥによる、後続のＮ個のスロットにおける１種又は複数種のサーチスペースタイプに属するＰＤＣＣＨに対するモニタリング動作を指示するステップとのうち、少なくとも１つを含み、
Ｎは１以上である、請求項１９に記載の方法。
【請求項２３】
前記モニタリング動作は、
前記後続のＮ個のスロットで前記ＰＤＣＣＨをモニターするか否かと、
前記後続のＮ個のスロットの対象時間領域シンボルとを含み、
前記１つ又は複数のＵＥは、前記対象時間領域シンボルで前記ＰＤＣＣＨをモニターする、請求項２２に記載の方法。
【請求項２４】
前記後続のＮ個のスロットは、
後続のＮ個の、連続又は不連続なスロットと、
後続のＮ個の、連続又は不連続な下りスロットと、
後続のＮ個の、連続又は不連続な下りスロット及び／又はフレキシブルスロットとのうち、少なくとも１つを含み、
前記下りスロットに含まれる時間領域シンボルは、下りシンボル又はフレキシブルシンボルである、請求項２２に記載の方法。
【請求項２５】
ネットワーク側から、物理層シグナリング又は媒体アクセス制御ＭＡＣ層シグナリングを受信するための第１受信モジュールと、
前記物理層シグナリング又はＭＡＣ層シグナリングに基づいて、ユーザ機器ＵＥのスロットフォーマット指示子ＳＦＩを決定するための第１決定モジュールとを備え、
前記物理層シグナリング又はＭＡＣ層シグナリングは前記ＵＥ又は前記ＵＥを含む複数のＵＥのＳＦＩを指示する、ＵＥ。
【請求項２６】
１つ又は複数のユーザ機器ＵＥに、物理層シグナリング又は媒体アクセス制御ＭＡＣ層シグナリングを送信するための第１送信モジュールを備え、
前記物理層シグナリング又はＭＡＣ層シグナリングは前記１つ又は複数のＵＥのスロットフォーマット指示子ＳＦＩを指示する、ネットワーク側機器。
【請求項２７】
ネットワーク側から、物理層シグナリング又は媒体アクセス制御ＭＡＣ層シグナリングを受信するための第２受信モジュールと、
前記物理層シグナリング又はＭＡＣ層シグナリングに基づいて、ユーザ機器ＵＥによる物理下り制御チャネルＰＤＣＣＨに対するモニタリング動作を決定するための第２決定モジュールとを備え、
前記物理層シグナリング又はＭＡＣ層シグナリングは前記ＵＥ又は前記ＵＥを含む複数のＵＥによるＰＤＣＣＨに対するモニタリング動作を指示する、ＵＥ。
【請求項２８】
１つ又は複数のユーザ機器ＵＥに、物理層シグナリング又は媒体アクセス制御ＭＡＣ層シグナリングを送信するための第２送信モジュールを備え、
前記物理層シグナリング又はＭＡＣ層シグナリングは前記１つ又は複数のＵＥによる物理下り制御チャネルＰＤＣＣＨに対するモニタリング動作を指示する、ネットワーク側機器。
【請求項２９】
プロセッサと、メモリと、前記メモリに記憶され、前記プロセッサ上で実行可能なコンピュータプログラムとを備え、前記コンピュータプログラムが前記プロセッサによって実行されると、請求項１〜６のいずれか１項に記載のＳＦＩの決定方法のステップ、又は請求項１２〜１８のいずれか１項に記載の物理下り制御チャネルのモニタリング方法のステップが実現される、ユーザ機器。
【請求項３０】
プロセッサと、メモリと、前記メモリに記憶され、前記プロセッサ上で実行可能なコンピュータプログラムとを備え、前記コンピュータプログラムが前記プロセッサによって実行されると、請求項７〜１１のいずれか１項に記載のＳＦＩの設定方法のステップ、又は請求項１９〜２４のいずれか１項に記載の下り制御チャネルのモニタリングモードの設定方法のステップが実現される、ネットワーク側機器。
【請求項３１】
プロセッサによって実行されると、請求項１〜６のいずれか１項に記載のＳＦＩの決定方法のステップ、又は請求項７〜１１のいずれか１項に記載のＳＦＩの設定方法のステップ、又は請求項１２〜１８のいずれか１項に記載の物理下り制御チャネルのモニタリング方法のステップ、又は請求項１９〜２４のいずれか１項に記載の下り制御チャネルのモニタリングモードの設定方法のステップが実現されるコンピュータプログラムを記憶したコンピュータ可読記憶媒体。
【発明の詳細な説明】
【技術分野】
【０００１】
本出願は、2018年04月13日に中国に出願された中国特許出願第201810331798.6号の優先権を主張し、その内容の全てが参照によって本出願に取り込まれる。
【０００２】
本開示は、通信技術の分野に関し、特に、物理下り制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）のモニタリング方法、ユーザ機器及びネットワーク側機器に関する。
【背景技術】
【０００３】
現在、ロング・ターム・エボリューション（Ｌｏｎｇ  Ｔｅｒｍ  Ｅｖｏｌｕｔｉｏｎ、ＬＴＥ）及び第５世代移動通信（ｆｉｆｔｈ−ｇｅｎｅｒａｔｉｏｎ、５Ｇ）の新無線（Ｎｅｗ  Ｒａｄｉｏ、ＮＲ）技術において、ユーザ機器（Ｕｓｅｒ  Ｅｑｕｉｐｍｅｎｔ、ＵＥ）は、一般的に、スロット（ｓｌｏｔ）又はサブフレーム毎にＰＤＣＣＨブラインド検出を行う。ＵＥは、該ＵＥ用のＰＤＣＣＨを受信した場合、該ＰＤＣＣＨにより指示される時間周波数リソースで下りデータを受信し、又は上りデータを送信する。ＵＥは、該ＵＥ用のＰＤＣＣＨを受信していなかった場合、次のスロット又はサブフレームにおいて、或いは基地局によって設定されたＰＤＣＣＨのモニタリング周期とオフセットに合致するスロット又はサブフレームにおいてＰＤＣＣＨブラインド検出を継続する。
【０００４】
ウィーチャット（ＷｅＣｈａｔ）やウェブブラウジングなど多くの人気のあるサービスのトラフィックパケットの到着時間にランダム性又は不均一性があるため、実際のネットワークでは、ＵＥがアクティブ状態でＰＤＣＣＨを継続的にモニターしている場合、すべてのスロット又はサブフレームで、該ＵＥをスケジューリングするＰＤＣＣＨを受信できるとは限らない。該ＵＥをスケジューリングするＰＤＣＣＨのないスロット又はサブフレームについて、これらのスロット又はサブフレームにおいてＰＤＣＣＨをブラインド検出する該ＵＥの動作は、ＵＥの電力消費につながる。
【０００５】
ＮＲ技術において、上位層シグナリングは、パラメータである上り−下り−設定−共通（ＵＬ−ＤＬ−ｃｏｎｆｉｇｕｒａｔｉｏｎ−ｃｏｍｍｏｎ）、上り−下り−設定−共通−セット２（ＵＬ−ＤＬ−ｃｏｎｆｉｇｕｒａｔｉｏｎ−ｃｏｍｍｏｎ−Ｓｅｔ２）、又は上り−下り−設定−個別（ＵＬ−ＤＬ−ｃｏｎｆｉｇｕｒａｔｉｏｎ−ｄｅｄｉｃａｔｅｄ）によってＵＥのスロットフォーマットを設定することができる。しかしながら、上位層シグナリングにより設定されたスロットフォーマット（ｓｌｏｔ  ｆｏｒｍａｔ）は、トラフィックパケット到着時間にランダム性又は不均一性のあるサービスに迅速に適合することができない。
【０００６】
後続の進化した通信システムにも依然として上記の問題が存在するおそれがある。
【発明の概要】
【０００７】
本開示の実施例の１つの目的は、物理下り制御チャネルのモニタリング方法、ユーザ機器、及びネットワーク側機器を提供し、ＵＥによる不要なＰＤＣＣＨモニタリングに起因するＵＥ電力消費の問題を解決することである。
【０００８】
第１の態様では、ＵＥにおけるスロットフォーマット指示子ＳＦＩの決定方法が提供され、該方法は、ネットワーク側から物理層シグナリング又は媒体アクセス制御ＭＡＣ層シグナリングを受信するステップと、前記物理層シグナリング又はＭＡＣ層シグナリングに基づいて、前記ＵＥのＳＦＩを決定するステップとを含み、前記物理層シグナリング又はＭＡＣ層シグナリングは前記ＵＥ又は前記ＵＥを含む複数のＵＥのＳＦＩを指示する。
【０００９】
第２の態様では、ネットワーク側機器におけるスロットフォーマット指示子ＳＦＩの設定方法が提供され、前記方法は、１つ又は複数のＵＥに物理層シグナリング又はＭＡＣ層シグナリングを送信するステップを含み、前記物理層シグナリング又はＭＡＣ層シグナリングは、前記１つ又は複数のＵＥのＳＦＩを指示する。
【００１０】
第３の態様では、ユーザ機器ＵＥにおける物理下り制御チャネルのモニタリング方法が提供され、前記方法は、ネットワーク側から物理層シグナリング又はＭＡＣ層シグナリングを受信するステップと、前記物理層シグナリング又はＭＡＣ層シグナリングに基づいて、前記ＵＥによるＰＤＣＣＨに対するモニタリング動作を決定するステップとを含み、前記物理層シグナリング又はＭＡＣ層シグナリングは、前記ＵＥ又は前記ＵＥを含む複数のＵＥによるＰＤＣＣＨに対するモニタリング動作を指示する。
【００１１】
第４の態様では、さらにネットワーク側機器における下り制御チャネルのモニタリングモードの設定方法が提供され、前記方法は、１つ又は複数のＵＥに物理層シグナリング又はＭＡＣ層シグナリングを送信するステップを含み、前記物理層シグナリング又はＭＡＣ層シグナリングは、１つ又は複数のＵＥによるＰＤＣＣＨに対するモニタリング動作を指示する。
【００１２】
第５の態様では、さらにＵＥが提供され、該ＵＥは、ネットワーク側から、物理層シグナリング又は媒体アクセス制御ＭＡＣ層シグナリングを受信するための第１受信モジュールと、前記物理層シグナリング又はＭＡＣ層シグナリングに基づいて、前記ＵＥのＳＦＩを決定するための第１決定モジュールとを備え、前記物理層シグナリング又はＭＡＣ層シグナリングは前記ＵＥ又は前記ＵＥを含む複数のＵＥのＳＦＩを指示する。
【００１３】
第６の態様では、さらにネットワーク側機器が提供され、該ネットワーク側機器は、１つ又は複数のＵＥに、物理層シグナリング又はＭＡＣ層シグナリングを送信するための第１送信モジュールを備え、前記物理層シグナリング又はＭＡＣ層シグナリングは前記１つ又は複数のＵＥのＳＦＩを指示する。
【００１４】
第７の態様では、さらにＵＥが提供され、該ＵＥは、ネットワーク側から、物理層シグナリング又はＭＡＣ層シグナリングを受信するための第２受信モジュールと、前記物理層シグナリング又はＭＡＣ層シグナリングに基づいて、前記ＵＥによるＰＤＣＣＨに対するモニタリング動作を決定するための第２決定モジュールとを備え、前記物理層シグナリング又はＭＡＣ層シグナリングは前記ＵＥ又は前記ＵＥを含む複数のＵＥによるＰＤＣＣＨに対するモニタリング動作を指示する。
【００１５】
第８の態様では、さらにネットワーク側機器が提供され、該ネットワーク側機器は、１つ又は複数のＵＥに、物理層シグナリング又はＭＡＣ層シグナリングを送信するための第２送信モジュールを備え、前記物理層シグナリング又はＭＡＣ層シグナリングは前記１つ又は複数のＵＥによるＰＤＣＣＨに対するモニタリング動作を指示する。
【００１６】
第９の態様では、さらにユーザ機器が提供され、該ユーザ機器は、プロセッサと、メモリと、前記メモリに記憶され、前記プロセッサ上で実行可能なコンピュータプログラムとを備え、前記コンピュータプログラムが前記プロセッサによって実行されると、第１の態様に記載のＳＦＩの決定方法のステップ、又は第３の態様に記載の物理下り制御チャネルのモニタリング方法のステップが実現される。
第１０の態様では、さらにネットワーク側機器が提供され、該ネットワーク側機器は、プロセッサと、メモリと、前記メモリに記憶され、前記プロセッサ上で実行可能なコンピュータプログラムとを備え、前記コンピュータプログラムが前記プロセッサによって実行されると、第３の態様に記載のＳＦＩの設定方法のステップ、又は第４の態様に記載の下り制御チャネルのモニタリングモードの設定方法のステップが実現される。
【００１７】
第１１の態様では、さらにコンピュータ可読記憶媒体が提供され、該コンピュータ可読記憶媒体は、プロセッサによって実行されると、第１の態様に記載のＳＦＩの決定方法のステップ、又は第２の態様に記載のＳＦＩの設定方法のステップ、又は第３の態様に記載の物理下り制御チャネルのモニタリング方法のステップ、又は第４の態様に記載の下り制御チャネルのモニタリングモードの設定方法のステップが実現されるコンピュータプログラムを記憶した。
【００１８】
本開示の実施例は、物理層シグナリング又はＭＡＣシグナリングで１つ又は複数のＵＥのモニタリング動作を指示することによって、ＵＥの不要なＰＤＣＣＨモニタリングから生じる電力消費を低減することができる。
【図面の簡単な説明】
【００１９】
以下の好ましい実施形態の詳細な説明を読むことにより、他の様々な利点及び利益は当業者にとって明らかになる。図面は、好ましい実施形態を説明するためのものに過ぎず、本開示に対する限定とみなされない。なお、図面全体において、同じ符号は同じ部材を表示する。
【００２０】
【図１】本開示の実施例によって提供される無線通信システムのアーキテクチャの概略図である。
【図２】本開示の実施例によって提供されるスロットフォーマット指示子の決定方法の第一のフローチャートである。
【図３】本開示の実施例によって提供されるスロットフォーマット指示子の設定方法の第二のフローチャートである。
【図４】本開示の実施例によって提供される物理下り制御チャネルのモニタリング方法の第一のフローチャートである。
【図５】本開示の実施例によって提供される物理下り制御チャネルのモニタリングモードの設定方法の第二のフローチャートである。
【図６】本開示の実施例によって提供されるユーザ機器の第一の構造図である。
【図７】本開示の実施例によって提供されるネットワーク側機器の第一の構造図である。
【図８】本開示の実施例によって提供されるユーザ機器の第二の構造図である。
【図９】本開示の実施例によって提供されるネットワーク側機器の第二の構造図である。
【図１０】本開示の実施例によって提供されるユーザ機器の第三の構造図である。
【図１１】本開示の実施例によって提供されるネットワーク側機器の第三の構造図である。
【発明を実施するための形態】
【００２１】
以下、本開示の実施例における図面を参照して、本開示の実施例における技術案を明確かつ完全に説明する。明らかに、説明される実施例は、本開示の一部の実施例であり、全ての実施例ではない。本開示の実施例に基づいて、当業者が創造的な労働をせずに取得した他のすべての実施例は、いずれも本開示の保護範囲内に入る。
【００２２】
本出願の明細書及び特許請求の範囲における用語「含む」及びそのあらゆる変形は、非排他的包含をカバーすることが意図され、例えば、一連のステップ又はユニットを含むプロセス、方法、システム、物品又は機器は、明示的に列挙されたステップ又はユニットに限定される必要はなく、明示的に列挙されていない又はそのようなプロセス、方法、物品又は機器に固有する他のステップ又はユニットを含んでもよい。さらに、明細書及び特許請求の範囲における「及び／又は」は、その接続する対象のうちの少なくとも１つを意味し、例えば、「Ａ及び／又はＢ」は、「Ａのみ」、「Ｂのみ」、及び「ＡとＢの両方」との３つの形態を含むことを意味する。
【００２３】
本開示の実施例において、「例示的には」又は「例えば」などの用語は、例、例証又は説明を示すためのものである。本開示の実施例では、「例示的には」又は「例えば」と説明されるいかなる実施例又は設計案は、他の実施例又は設計案より好適である又は優位性があると解釈されるべきではない。正確的には、「例示的には」又は「例えば」などの語の使用は、具体案で関連概念を呈することを目的とする。
【００２４】
以下、図面を参照して本開示の実施例について説明する。本開示の実施例によって提供される物理下り制御チャネルの設定方法、ユーザ機器、及びネットワーク側機器は、無線通信システムに適用することができる。該無線通信システムは、５Ｇシステム、進化したロング・ターム・エボリューション（Ｅｖｏｌｖｅｄ  Ｌｏｎｇ  Ｔｅｒｍ  Ｅｖｏｌｕｔｉｏｎ、ｅＬＴＥ  ）システム、又は、後続の進化した通信システムを採用することができる。図１は、本開示の実施例によって提供される無線通信システムのアーキテクチャの概略図である。図１に示すように、該無線通信システムは、ネットワーク側機器１０とユーザ機器とを含む。例えば、ユーザ機器はＵＥ１１と表記され、ＵＥ１１はネットワーク側機器１０に接続することができる。実際の応用では、上記各機器間の接続は無線接続であってもよい。各機器間の接続関係を簡便かつ直感的に示すために、図１では実線で示している。
【００２５】
なお、上記通信システムは、複数のＵＥを含むことができ、ネットワーク側機器は複数のＵＥと通信（シグナリング送信又はデータ送信）することができる。
【００２６】
本開示の実施例によって提供されるネットワーク側機器１０は、基地局であってもよく、該基地局は、通常の基地局であってもよく、進化型基地局（ｅｖｏｌｖｅｄ  ｎｏｄｅ  ｂａｓｅ  ｓｔａｔｉｏｎ、ｅＮＢ）であってもよく、５Ｇシステムにおけるネットワーク側機器（例えば、次世代ノード基地局ｎｅｘｔ  ｇｅｎｅｒａｔｉｏｎ  ｎｏｄｅ  ｂａｓｅ  ｓｔａｔｉｏｎ、ｇＮＢ）や送受信ポイント（Ｔｒａｎｓｍｉｓｓｉｏｎ  Ａｎｄ  Ｒｅｃｅｐｔｉｏｎ  Ｐｏｉｎｔ、ＴＲＰ）やセル（ｃｅｌｌ）などの機器であってもよい。
【００２７】
本開示の実施例によって提供されるユーザ機器は、携帯電話、タブレットコンピュータ、ノートブックコンピュータ、ウルトラモバイルパーソナルコンピュータ（Ｕｌｔｒａ−Ｍｏｂｉｌｅ  Ｐｅｒｓｏｎａｌ  Ｃｏｍｐｕｔｅｒ、ＵＭＰＣ）、ネットブック、又はパーソナルデジタルアシスタント（Ｐｅｒｓｏｎａｌ  Ｄｉｇｉｔａｌ  Ａｓｓｉｓｔａｎｔ、ＰＤＡ）等であってもよい。
なお、ここでのスロットは、例えば、１４個の時間領域シンボルからなる通常のスロットであってもよいし、１４個未満の時間領域シンボル、例えば、２個、４個、又は７個の時間領域シンボルからなるミニスロットであってもよい。
【００２８】
無論、本開示におけるスロットは、送信時間間隔（Ｔｒａｎｓｍｉｓｓｉｏｎ  Ｔｉｍｅ  Ｉｎｔｅｒｖａｌ、ＴＴＩ）、サブフレーム（ｓｕｂｆｒａｍｅ）、時間領域スケジューリング粒度などであってもよい。
【００２９】
図２は本開示の実施例に係るスロットフォーマット指示子（Ｓｌｏｔ  Ｆｏｒｍａｔ  Ｉｎｄｉｃａｔｏｒ、ＳＦＩ）の設定方法のフローチャートを示している。該方法は、ＵＥを実行主体とし、具体的なステップは以下の通りである。
【００３０】
ステップ２０１：ネットワーク側から物理層シグナリング又は媒体アクセス制御（Ｍｅｄｉａ  Ａｃｃｅｓｓ  Ｃｏｎｔｒｏｌ、ＭＡＣ）層シグナリングを受信し、該物理層シグナリング又はＭＡＣ層シグナリングは、該ＵＥ又は該ＵＥを含む複数のＵＥのＳＦＩを指示する。
【００３１】
具体的には、ステップ２０１では、第１の下り制御情報（Ｄｏｗｎｌｉｎｋ  Ｃｏｎｔｒｏｌ  Ｉｎｆｏｒｍａｔｉｏｎ、ＤＣＩ）フォーマットを有するＰＤＣＣＨ上の物理層シグナリングを受信する。
【００３２】
本開示の実施例では、任意選択的に、第１のＤＣＩフォーマットのＰＤＣＣＨの巡回冗長検査ＣＲＣ（Ｃｙｃｌｉｃ  Ｒｅｄｕｎｄａｎｃｙ  Ｃｈｅｃｋ、ＣＲＣ）は、ＵＥ個別無線ネットワーク一時的識別子（Ｒａｄｉｏ  Ｎｅｔｗｏｒｋ  Ｔｅｍｐｏｒａｒｙ  Ｉｄｅｎｔｉｔｙ、ＲＮＴＩ）、例えばＣ−ＲＮＴＩ（Ｃｅｌｌ  Ｒａｄｉｏ  Ｎｅｔｗｏｒｋ  Ｔｅｍｐｏｒａｒｙ  Ｉｄｅｎｔｉｆｉｅｒ）、又はＴＣ−ＲＮＴＩ（Ｔｅｍｐｏｒａｒｙ  Ｃｅｌｌ−Ｒａｄｉｏ  Ｎｅｔｗｏｒｋ  Ｔｅｍｐｏｒａｒｙ  Ｉｄｅｎｔｉｆｉｅｒ）によってスクランブルされる。
【００３３】
本開示の実施例では、任意選択的に、前記第１のＤＣＩフォーマットのＰＤＣＣＨのＣＲＣは、複数のＵＥに対応するＲＮＴＩ、例えばスロットフォーマット指示子−無線ネットワーク一時的識別子（ＳＦＩ−ＲＮＴＩ）又は他のＲＮＴＩによってスクランブルされる。
【００３４】
本開示の実施例では、任意選択的に、第１のＤＣＩフォーマットのビットは、第１のＤＣＩフォーマットの識別子と、１つ又は複数のスロットフォーマット指示子とを含み、１つ又は複数のスロットフォーマット指示子は、該ＵＥの後続のＮ個のスロットにおけるスロットフォーマットに対応するか、又は前記ＵＥを含む複数のＵＥの後続のＮ個のスロットにおけるスロットフォーマットに対応し、Ｎは１以上である。
【００３５】
例えば、複数のスロットフォーマット指示子が、該ＵＥの後続のＮ個のスロットにおけるスロットフォーマットに対応する場合、該複数のスロットフォーマット指示子は、スロットフォーマット指示子１（Ｓｌｏｔ  Ｆｏｒｍａｔ  Ｉｎｄｉｃａｔｏｒ１）、スロットフォーマット指示子２、……、スロットフォーマット指示子Ｎを含み、ＮはＮ個のスロットを表す。
【００３６】
別の例として、複数のスロットフォーマット指示子が、該ＵＥを含む複数のＵＥの後続のＮ個のスロットにおけるスロットフォーマットに対応する場合、該複数のスロットフォーマット指示子は、第１のＵＥのスロットフォーマット指示子１、第１のＵＥのスロットフォーマット指示子２、……、第１のＵＥのスロットフォーマット指示子Ｎ、第２のＵＥのスロットフォーマット指示子１、第２のＵＥのスロットフォーマット指示子２、……、第２のＵＥのスロットフォーマット指示子Ｎ（以下同様）を含み、ここで、ＮはＮ個のスロットを表す。
【００３７】
本開示の実施例では、任意選択的に、第１のＤＣＩフォーマットのビットは、既存のＤＣＩフォーマットのビットを再利用することができ、例えば、既存のＤＣＩフォーマットのパディング（ｐａｄｄｉｎｇ）ビットを利用することができ、又は既存のＤＣＩフォーマットの一部のビットを変更して、第１のＤＣＩフォーマットのビットとして用いることができる。
【００３８】
ステップ２０２：物理層シグナリング又はＭＡＣ層シグナリングに基づいて、該ＵＥのＳＦＩを決定する。
【００３９】
具体的に、ＳＦＩによって指示される時間領域シンボルが、上りシンボル及び／又はフレキシブルシンボルである場合、ＵＥは、ＳＦＩによって指示される前記時間領域シンボルでＰＤＣＣＨをモニターしない。ここで、該フレキシブルシンボルは、上りシンボル又は下りシンボルのシンボルに設定してもよい。
【００４０】
本開示の実施例では、任意選択的に、ＳＦＩは、１つ又は複数のＵＥが後続のＮ個のスロットにおけるスロットフォーマット（Ｓｌｏｔ  Ｆｏｒｍａｔ、ＳＦ）を指示し、Ｎは、１以上であり、例えば、Ｎは１０個のスロット、２０個のスロット、又は４０個のスロットである。ここで、Ｎは、ネットワーク側によって、無線リソース制御（Ｒａｄｉｏ  Ｒｅｓｏｕｒｃｅ  Ｃｏｎｔｒｏｌ、ＲＲＣ）シグナリングを通じて設定される。さらに、異なるＵＥのＳＦは異なってよい。
【００４１】
本開示の実施例では、任意選択的に、前記物理層シグナリング又はＭＡＣ層シグナリングが受信される第１スロットと、前記ＳＦＩが有効となる第２スロットとの間に第１間隔が存在する。
【００４２】
さらに、第１間隔は、規格によって予め定義された０個のスロットであり、又は前記第１間隔は、規格によって予め定義された固定数のスロットであり、又は前記第１間隔の長さはネットワーク側によって設定され、例えばＲＲＣシグナリングによって設定される。
【００４３】
ＮＲ技術は、物理層シグナリング、例えばＤＣＩ  ｆｏｒｍａｔ２＿０、によって１グループのＵＥのＳＦＩを設定することもサポートするが、ＤＣＩ  ｆｏｒｍａｔ２＿０によって設定された複数のＵＥのスロットフォーマットはいずれも同一であり、異なるＵＥのそれぞれの異なるサービスによる多様なＰＤＣＣＨモニタリング動作の要求を満たすことができない。また、ＤＣＩ  ｆｏｒｍａｔ２＿０は、複数のＵＥのスロットフォーマットを設定することによって、ＵＥが不要なＰＤＣＣＨをモニターすることを間接的に回避できるが、上位層シグナリングが設定するスロットフォーマットにおけるフレキシブルシンボルのみを変更することができ（上りシンボル又は下りシンボルを変更することができず）、効率は比較的低い。
【００４４】
このように、物理層シグナリング又はＭＡＣ層シグナリングによって１つ又は複数のＵＥのＳＦＩを設定し、これにより、トラフィックパケット到着時間にランダム性又は不均一性があるサービスを、物理層シグナリング又はＭＡＣ層シグナリングによって迅速に適応することができる。
【００４５】
図３は本開示の実施例に係るスロットフォーマット指示子の設定方法のフローチャートを示している。該方法は、ネットワーク側機器を実行主体とし、具体的なステップは以下の通りである。
【００４６】
ステップ３０１：１つ又は複数のＵＥに物理層シグナリング又はＭＡＣ層シグナリングを送信し、前記物理層シグナリング又はＭＡＣ層シグナリングは、前記１つ又は複数のＵＥのＳＦＩを指示する。
【００４７】
具体的には、ステップ３０１において、第１のＤＣＩフォーマットを有するＰＤＣＣＨで１つ又は複数のＵＥに物理層シグナリングを送信する。
【００４８】
本開示の実施例では、任意選択的に、第１のＤＣＩフォーマットのＰＤＣＣＨのＣＲＣは、ＵＥ個別ＲＮＴＩ、例えばＣ−ＲＮＴＩ又はＴＣ−ＲＮＴＩによってスクランブルされる。
【００４９】
本開示の実施例では、任意選択的に、第１のＤＣＩフォーマットのＰＤＣＣＨのＣＲＣは、複数のＵＥに対応するＲＮＴＩ、例えばＳＦＩ−ＲＮＴＩ又は他のＲＮＴＩによってスクランブルされる。本開示の実施例では、任意選択的に、第１のＤＣＩフォーマットのＤＣＩのビットは、第１のＤＣＩフォーマットの識別子と、１つ又は複数のスロットフォーマット指示子とを含み、該１つ又は複数のスロットフォーマット指示子は、１つのＵＥの後続のＮ個のスロットにおけるスロットフォーマットに対応するか、又は複数のＵＥの後続のＮ個のスロットにおけるスロットフォーマットに対応し、Ｎは１以上である。
【００５０】
例えば、複数のスロットフォーマット指示子が、１つのＵＥの後続のＮ個のスロットにおけるスロットフォーマットに対応する場合、該複数のスロットフォーマット指示子は、スロットフォーマット指示子１（Ｓｌｏｔ  Ｆｏｒｍａｔ  Ｉｎｄｉｃａｔｏｒ１）、スロットフォーマット指示子２、……、スロットフォーマット指示子Ｎを含み、ＮはＮ個のスロットを表す。
【００５１】
別の例として、複数のスロットフォーマット指示子が、複数のＵＥの後続のＮ個のスロットにおけるスロットフォーマットに対応する場合、該複数のスロットフォーマット指示子は、第１のＵＥのスロットフォーマット指示子１、第１のＵＥのスロットフォーマット指示子２、……、第１のＵＥのスロットフォーマット指示子Ｎ、第２のＵＥのスロットフォーマット指示子１、第２のＵＥのスロットフォーマット指示子２、……、第２のＵＥのスロットフォーマット指示子Ｎ（以下同様）を含み、ここで、ＮはＮ個のスロットを表す。
【００５２】
本開示の実施例では、任意選択的に、ＳＦＩは、１つ又は複数のＵＥが後続のＮ個のスロットにおけるスロットフォーマット（Ｓｌｏｔ  Ｆｏｒｍａｔ、ＳＦ）を指示し、Ｎは１以上であり、例えば、Ｎは１０個のスロット、２０個のスロット、又は４０個のスロットである。Ｎはネットワーク側によって、ＲＲＣシグナリングを通じて設定される。さらに、異なるＵＥのＳＦは異なってよい。
【００５３】
本開示の実施例では、任意選択的に、第１のＤＣＩフォーマットのビットは、既存のＤＣＩフォーマットのビットを再利用することができ、例えば、既存のＤＣＩフォーマットのパディング（ｐａｄｄｉｎｇ）ビットを利用することができ、又は既存のＤＣＩフォーマットの一部のビットを変更して、第１のＤＣＩフォーマットのビットとして用いることができる。
【００５４】
本開示の実施例では、任意選択的に、ＳＦＩによって指示される時間領域シンボルが、上りシンボル及び／又はフレキシブルシンボルである場合、前記ＵＥは、ＳＦＩによって指示される前記時間領域シンボルでＰＤＣＣＨをモニターしない。ここで、前記フレキシブルシンボルは、上りシンボル又は下りシンボルのシンボルに設定してもよい。
【００５５】
このように、物理層シグナリング又はＭＡＣ層シグナリングによって１つ又は複数のＵＥのＳＦＩを設定し、これにより、トラフィックパケット到着時間にランダム性又は不均一性があるサービスを、物理層シグナリング又はＭＡＣ層シグナリングによって迅速に適応することができる。
【００５６】
図４は本開示の実施例によって提供される物理下り制御チャネルのモニタリング方法のフローチャートを示している。該方法の実行主体はＵＥであり、具体的なステップは以下の通りである：
【００５７】
ステップ４０１：ネットワーク側から物理層シグナリング又はＭＡＣ層シグナリングを受信し、前記物理層シグナリング又はＭＡＣ層シグナリングは、該ＵＥ又は該ＵＥを含む複数のＵＥによるＰＤＣＣＨに対するモニタリング動作を指示する。
【００５８】
具体的には、ステップ４０１において、第２のＤＣＩフォーマットを有するＰＤＣＣＨ上の物理層シグナリングを受信する。
【００５９】
本開示の実施例では、任意選択的に、第２のＤＣＩフォーマットのＰＤＣＣＨのＣＲＣは、ＵＥ個別ＲＮＴＩ、例えばＣ−ＲＮＴＩ又はＴＣ−ＲＮＴＩによってスクランブルされる。
【００６０】
本開示の実施例では、任意選択的に、第２のＤＣＩフォーマットのＰＤＣＣＨのＣＲＣは、複数のＵＥに対応するＲＮＴＩ、例えばＳＦＩ−ＲＮＴＩ又は他のＲＮＴＩによってスクランブルされる。
【００６１】
ステップ４０２：物理層シグナリング又はＭＡＣ層シグナリングに基づいて、ＵＥによるＰＤＣＣＨに対するモニタリング動作を決定する。
【００６２】
本開示の実施例では、物理層シグナリング又はＭＡＣ層シグナリングは、ＵＥ又は該ＵＥを含む複数のＵＥによるＰＤＣＣＨに対するモニタリング動作を指示するステップは、以下の少なくとも１つのステップを含む：
【００６３】
（ａ）物理層シグナリング又はＭＡＣ層シグナリングは、該ＵＥ又は該ＵＥを含む複数のＵＥによる、後続のＮ個のスロットにおけるＰＤＣＣＨに対するモニタリング動作を指示し、Ｎは１以上である。
【００６４】
物理層シグナリング又はＭＡＣ層シグナリングは、該ＵＥによる、後続のＮ個のスロットにおけるＰＤＣＣＨに対するモニタリング動作を指示することを例にとる。
【００６５】
例えば、１０ビット（ｂｉｔ）のビットマップ（ｂｉｔｍａｐ）では、その位置が、後続の１０個のスロットの各々が存在する時刻を表し、１に設定されると、ＰＤＣＣＨをモニターすることを表し、０に設定されると、ＰＤＣＣＨをモニターしないことを表す。
【００６６】
物理層シグナリング又はＭＡＣ層シグナリングは、該ＵＥを含む複数のＵＥによる、後続のＮ個のスロットにおけるＰＤＣＣＨに対するモニタリング動作を指示することを例にとる。
【００６７】
例えば、４０ビットのビットマップは４つのＵＥのモニタリング動作を指示し、最初の１０ビットは、第１のＵＥが後続の１０個のスロットでＰＤＣＣＨをモニターするか否かを表し、その位置は、後続の１０個のスロットの各々が存在する時刻を表し、１に設定されると、ＰＤＣＣＨをモニターすることを表し、０に設定されると、ＰＤＣＣＨをモニターしないことを表す。第１１〜２０のビットは、第２のＵＥが後続の１０個のスロットでＰＤＣＣＨをモニターするか否かを表し、その位置は、後続の１０個のスロットの各々が存在する時刻を表し、１に設定されると、ＰＤＣＣＨをモニターすることを表し、０に設定されると、ＰＤＣＣＨをモニターしないことを表す。以下は同様である。
【００６８】
（ｂ）物理層シグナリング又はＭＡＣ層シグナリングは、該ＵＥ又は該ＵＥを含む複数のＵＥによる、後続のＮ個のスロットにおけるＰＤＣＣＨに対するモニタリング動作、及びモニターされる時間領域シンボルを指示する。
【００６９】
物理層シグナリング又はＭＡＣ層シグナリングは、該ＵＥによる、後続のＮ個のスロットにおけるＰＤＣＣＨに対するモニタリング動作、及びモニターされる時間領域シンボルを指示することを例にとる。
【００７０】
例えば、３０ビットのビットマップでは、第１のビットは、後続の最初のスロットにおけるＰＤＣＣＨをモニターするか否かを表し、１に設定されると、ＰＤＣＣＨをモニターすることを表し、０に設定されると、ＰＤＣＣＨをモニターしないことを表し、第２のビットと第３のビットは、共に、後続の最初のスロットにおけるどんなシンボルでＰＤＣＣＨをモニターするかを指示し、例えば、「００」は、最初のシンボルでＰＤＣＣＨをモニターすることを表し、「０１」は、最初の２シンボルでＰＤＣＣＨをモニターすることを表し、「１０」は、最初の３シンボルでＰＤＣＣＨをモニターすることを表し、「１１」は、予約されている。第４のビットは、後続の第２のスロットにおけるＰＤＣＣＨをモニターするか否かを表し、１に設定されると、ＰＤＣＣＨをモニターすることを表し、０に設定されると、ＰＤＣＣＨをモニターしないことを表し、第５のビットと第６のビットは、共に、後続の第２のスロットにおけるどんなシンボルでＰＤＣＣＨをモニターするかを指示し、例えば、「００」は、最初のシンボルでＰＤＣＣＨをモニターすることを表し、「０１」は、最初の２シンボルでＰＤＣＣＨをモニターすることを表し、「１０」は、最初の３シンボルでＰＤＣＣＨをモニターすることを表し、「１１」は予約されている。以下は同様である。
【００７１】
物理層シグナリング又はＭＡＣ層シグナリングは、該ＵＥを含む複数のＵＥによる、後続のＮ個のスロットにおけるＰＤＣＣＨに対するモニタリング動作及びモニターされる時間領域シンボルを指示することを例にとる。
【００７２】
例えば、１２０ビットのビットマップは４つのＵＥのモニタリング動作を指示し、最初の３０ビットは、第１のＵＥが後続の１０個のスロットにおけるＰＤＣＣＨをモニターする動作、及びモニターされる時間領域シンボルを表し、第１のビットは、後続の最初のスロットにおけるＰＤＣＣＨをモニターするか否かを表し、１に設定されると、ＰＤＣＣＨをモニターすることを表し、０に設定されると、ＰＤＣＣＨをモニターしないことを表す。第２のビットと第３のビットは、共に、後続の最初のスロットにおけるどんなシンボルでＰＤＣＣＨをモニターするかを指示し、例えば、「００」は、最初のシンボルでＰＤＣＣＨをモニターすることを表し、「０１」は、最初の２シンボルでＰＤＣＣＨをモニターすることを表し、「１０」は、最初の３シンボルでＰＤＣＣＨをモニターすることを表し、「１１」は、予約されている。第４のビットは、後続の第２のスロットにおけるＰＤＣＣＨをモニターするか否かを表し、１に設定されると、ＰＤＣＣＨをモニターすることを表し、０に設定されると、ＰＤＣＣＨをモニターしないことを表す。第５のビットと第６のビットは、共に、後続の第２のスロットにおけるどんなシンボルでＰＤＣＣＨをモニターするかを指示し、例えば、「００」は、最初のシンボルでＰＤＣＣＨをモニターすることを表し、「０１」は、最初の２シンボルでＰＤＣＣＨをモニターすることを表し、「１０」は、最初の３シンボルでＰＤＣＣＨをモニターすることを表し、「１１」は予約されている。以下は同様である。第３１のビット〜第６０のビットは、第２のＵＥによる、後続の１０個のスロットにおけるＰＤＣＣＨに対するモニタリング動作及びモニターされる時間領域シンボルを表す。以下は同様である。
【００７３】
（ｃ）物理層シグナリング又はＭＡＣ層シグナリングは、該ＵＥ又は該ＵＥを含む複数のＵＥによる、後続のＮ個のスロットにおける１種又は複数種のＤＣＩフォーマットを有するＰＤＣＣＨに対するモニタリング動作を指示する。
【００７４】
具体的には、ＤＣＩにビットを追加して、いずれか１つ又はいずれか複数のＤＣＩフォーマットを対象とするかを示すことができる。
【００７５】
（ｄ）物理層シグナリング又はＭＡＣ層シグナリングは、該ＵＥ又は該ＵＥを含む複数のＵＥによる、後続のＮ個のスロットにおける１種又は複数種のＲＮＴＩタイプを有するＰＤＣＣＨに対するモニタリング動作を指示する。
【００７６】
具体的には、ＤＣＩにビットを追加して、いずれか１種又はいずれか複数種のＲＮＴＩタイプを対象とするかを示すことができる。
【００７７】
（ｅ）物理層シグナリング又はＭＡＣ層シグナリングは、該ＵＥ又は該ＵＥを含む複数のＵＥによる、後続のＮ個のスロットにおける１つ又は複数のサーチスペースに属するＰＤＣＣＨに対するモニタリング動作を指示する。
【００７８】
具体的には、ＤＣＩにビットを追加して、いずれか１つ又はいずれか複数のサーチスペースを対象とするかを示すことができる。
【００７９】
（ｆ）物理層シグナリング又はＭＡＣ層シグナリングは、該ＵＥ又は該ＵＥを含む複数のＵＥによる、後続のＮ個のスロットにおける１種又は複数種のサーチスペースタイプに属するＰＤＣＣＨに対するモニタリング動作を指示する。
【００８０】
具体的には、ＤＣＩにビットを追加して、いずれか１種又はいずれか複数種のサーチスペースタイプを対象とするかを示すことができる。
【００８１】
上記（ａ）〜（ｆ）において、Ｎは１以上である。
【００８２】
本開示の実施例では、任意選択的に、前記モニタリング動作は、後続のＮ個のスロットで前記ＰＤＣＣＨをモニターするか否かと、前記後続のＮ個のスロットの対象時間領域シンボルとを含み、前記ＵＥ又は前記ＵＥを含む複数のＵＥは、前記対象時間領域シンボルで前記ＰＤＣＣＨをモニターする。
【００８３】
本開示の実施例では、任意選択的に、前記後続のＮ個のスロットは、後続のＮ個の、連続又は不連続なスロットと、後続のＮ個の、連続又は不連続な下りスロットと、後続のＮ個の、連続又は不連続な下りスロット及び／又はフレキシブルスロットとのうち、少なくとも１つを含み、前記下りスロットに含まれる時間領域シンボルは、下りシンボル又はフレキシブルシンボルであり、前記フレキシブルスロットは、上りスロット又は下りスロットのシンボルであり、前記上りスロットに含まれる時間領域シンボルは、上りシンボル又はフレキシブルシンボルである。
【００８４】
本開示の実施例では、任意選択的に、前記物理層シグナリング又は媒体アクセス制御ＭＡＣ層シグナリングが受信される第３スロットと、前記後続のＮ個のスロットのうち最初のスロットとの間に第２間隔が存在し、前記第２間隔は、規格によって予め定義された０個のスロットであり、又は規格によって予め定義された固定数のスロットであり、又は前記第２間隔の長さがネットワーク側によって設定される。
【００８５】
本開示の実施例では、物理層シグナリング又はＭＡＣシグナリングで１つ又は複数のＵＥのモニタリング動作を指示することにより、ＵＥの不要なＰＤＣＣＨモニタリングから生じる電力消費を低減させる。
【００８６】
図５は本開示の実施例によって提供される下り制御チャネルモニタリングモードの設定方法のフローチャートを示している。該方法の実行主体はネットワーク側機器であり、具体的なステップは以下の通りである：
【００８７】
ステップ５０１：１つ又は複数のＵＥに物理層シグナリング又はＭＡＣ層シグナリングを送信し、前記物理層シグナリング又はＭＡＣ層シグナリングは、１つ又は複数のＵＥによるＰＤＣＣＨに対するモニタリング動作を指示する。
【００８８】
具体的には、ステップ５０１において、第２のＤＣＩフォーマットを有するＰＤＣＣＨで１つ又は複数のＵＥに物理層シグナリングを送信する。
【００８９】
本発明の実施例では、任意選択的に、第２のＤＣＩフォーマットのＰＤＣＣＨのＣＲＣは、ＵＥ個別ＲＮＴＩ、例えばＣ−ＲＮＴＩ又はＴＣ−ＲＮＴＩ、によってスクランブルされる。
【００９０】
本発明の実施例では、任意選択的に、第２のＤＣＩフォーマットのＰＤＣＣＨのＣＲＣは、複数のＵＥに対応するＲＮＴＩ、例えばＳＦＩ−ＲＮＴＩ又は他のＲＮＴＩ、によってスクランブルされる。
【００９１】
本開示の実施例では、物理層シグナリング又はＭＡＣ層シグナリングは、ＵＥ又は該ＵＥを含む複数のＵＥによるＰＤＣＣＨに対するモニタリング動作を指示するステップは、以下の少なくとも１つのステップを含む：
【００９２】
（ａ）物理層シグナリング又はＭＡＣ層シグナリングは、該ＵＥ又は該ＵＥを含む複数のＵＥによる、後続のＮ個のスロットにおけるＰＤＣＣＨに対するモニタリング動作を指示し、Ｎは１以上である。例えば、Ｎは１０個のスロット、２０個のスロット、又は４０個のスロットである。Ｎはネットワーク側によってＲＲＣシグナリングを通じて設定される。
【００９３】
物理層シグナリング又はＭＡＣ層シグナリングは、該ＵＥによる、後続のＮ個のスロットにおけるＰＤＣＣＨに対するモニタリング動作を指示することを例にとる。
【００９４】
例えば、１０ビット（ｂｉｔ）のビットマップ（ｂｉｔｍａｐ）では、その位置が、後続の１０個のスロットの各々が存在する時刻を表し、１に設定されると、ＰＤＣＣＨをモニターすることを表し、０に設定されると、ＰＤＣＣＨをモニターしないことを表す。
【００９５】
物理層シグナリング又はＭＡＣ層シグナリングは、該ＵＥを含む複数のＵＥによる、後続のＮ個のスロットにおけるＰＤＣＣＨに対するモニタリング動作を指示することを例にとる。
【００９６】
例えば、４０ビットのビットマップは４つのＵＥのモニタリング動作を指示し、最初の１０ビットは、第１のＵＥが後続の１０個のスロットでＰＤＣＣＨをモニターするか否かを表し、その位置は、後続の１０個のスロットの各々が存在する時刻を表し、１に設定されると、ＰＤＣＣＨをモニターすることを表し、０に設定されると、ＰＤＣＣＨをモニターしないことを表す。第１１〜２０のビットは、第２のＵＥが後続の１０個のスロットでＰＤＣＣＨをモニターするか否かを表し、その位置は、後続の１０個のスロットの各々が存在する時刻を表し、１に設定されると、ＰＤＣＣＨをモニターすることを表し、０に設定されると、ＰＤＣＣＨをモニターしないことを表す。以下は同様である。
【００９７】
（ｂ）物理層シグナリング又はＭＡＣ層シグナリングは、該ＵＥ又は該ＵＥを含む複数のＵＥによる、後続のＮ個のスロットにおけるＰＤＣＣＨに対するモニタリング動作、及びモニターされる時間領域シンボルを指示する。
【００９８】
物理層シグナリング又はＭＡＣ層シグナリングは、該ＵＥによる、後続のＮ個のスロットにおけるＰＤＣＣＨに対するモニタリング動作、及びモニターされる時間領域シンボルを指示することを例にとる。
【００９９】
例えば、３０ビットのビットマップでは、第１のビットは、後続の最初のスロットにおけるＰＤＣＣＨをモニターするか否かを表し、１に設定されると、ＰＤＣＣＨをモニターすることを表し、０に設定されると、ＰＤＣＣＨをモニターしないことを表し、第２のビットと第３のビットは、共に、後続の最初のスロットにおけるどんなシンボルでＰＤＣＣＨをモニターするかを指示し、例えば、「００」は、最初のシンボルでＰＤＣＣＨをモニターすることを表し、「０１」は、最初の２シンボルでＰＤＣＣＨをモニターすることを表し、「１０」は、最初の３シンボルでＰＤＣＣＨをモニターすることを表し、「１１」は、予約されている。第４のビットは、後続の第２のスロットにおけるＰＤＣＣＨをモニターするか否かを表し、１に設定されると、ＰＤＣＣＨをモニターすることを表し、０に設定されると、ＰＤＣＣＨをモニターしないことを表し、第５のビットと第６のビットは、共に、後続の第２のスロットにおけるどんなシンボルでＰＤＣＣＨをモニターするかを指示し、例えば、「００」は、最初のシンボルでＰＤＣＣＨをモニターすることを表し、「０１」は、最初の２シンボルでＰＤＣＣＨをモニターすることを表し、「１０」は、最初の３シンボルでＰＤＣＣＨをモニターすることを表し、「１１」は予約されている。以下は同様である。
【０１００】
物理層シグナリング又はＭＡＣ層シグナリングは、該ＵＥを含む複数のＵＥによる、後続のＮ個のスロットにおけるＰＤＣＣＨに対するモニタリング動作及びモニターされる時間領域シンボルを指示することを例にとる。
【０１０１】
例えば、１２０ビットのビットマップは４つのＵＥのモニタリング動作を指示し、最初の３０ビットは、第１のＵＥが後続の１０個のスロットにおけるＰＤＣＣＨをモニターする動作、及びモニターされる時間領域シンボルを表し、第１のビットは、後続の最初のスロットにおけるＰＤＣＣＨをモニターするか否かを表し、１に設定されると、ＰＤＣＣＨをモニターすることを表し、０に設定されると、ＰＤＣＣＨをモニターしないことを表す。第２のビットと第３のビットは、共に、後続の最初のスロットにおけるどんなシンボルでＰＤＣＣＨをモニターするかを指示し、例えば、「００」は、最初のシンボルでＰＤＣＣＨをモニターすることを表し、「０１」は、最初の２シンボルでＰＤＣＣＨをモニターすることを表し、「１０」は、最初の３シンボルでＰＤＣＣＨをモニターすることを表し、「１１」は、予約されている。第４のビットは、後続の第２のスロットにおけるＰＤＣＣＨをモニターするか否かを表し、１に設定されると、ＰＤＣＣＨをモニターすることを表し、０に設定されると、ＰＤＣＣＨをモニターしないことを表す。第５のビットと第６のビットは、共に、後続の第２のスロットにおけるどんなシンボルでＰＤＣＣＨをモニターするかを指示し、例えば、「００」は、最初のシンボルでＰＤＣＣＨをモニターすることを表し、「０１」は、最初の２シンボルでＰＤＣＣＨをモニターすることを表し、「１０」は、最初の３シンボルでＰＤＣＣＨをモニターすることを表し、「１１」は予約されている。以下は同様である。第３１のビット〜第６０のビットは、第２のＵＥによる、後続の１０個のスロットにおけるＰＤＣＣＨに対するモニタリング動作及びモニターされる時間領域シンボルを表す。以下は同様である。
【０１０２】
（ｃ）物理層シグナリング又はＭＡＣ層シグナリングは、該ＵＥ又は該ＵＥを含む複数のＵＥによる、後続のＮ個のスロットにおける１種又は複数種のＤＣＩフォーマットを有するＰＤＣＣＨに対するモニタリング動作を指示する。
【０１０３】
具体的には、ＤＣＩにビットを追加して、いずれか１つ又はいずれか複数のＤＣＩフォーマットを対象とするかを示すことができる。
【０１０４】
（ｄ）物理層シグナリング又はＭＡＣ層シグナリングは、該ＵＥ又は該ＵＥを含む複数のＵＥによる、後続のＮ個のスロットにおける１種又は複数種のＲＮＴＩタイプを有するＰＤＣＣＨに対するモニタリング動作を指示する。
【０１０５】
具体的には、ＤＣＩにビットを追加して、いずれか１種又はいずれか複数種のＲＮＴＩタイプを対象とするかを示すことができる。
【０１０６】
（ｅ）物理層シグナリング又はＭＡＣ層シグナリングは、該ＵＥ又は該ＵＥを含む複数のＵＥによる、後続のＮ個のスロットにおける１つ又は複数のサーチスペースに属するＰＤＣＣＨに対するモニタリング動作を指示する。
【０１０７】
具体的には、ＤＣＩにビットを追加して、いずれか１つ又はいずれか複数のサーチスペースを対象とするかを示すことができる。
【０１０８】
（ｆ）物理層シグナリング又はＭＡＣ層シグナリングは、該ＵＥ又は該ＵＥを含む複数のＵＥによる、後続のＮ個のスロットにおける１種又は複数種のサーチスペースタイプに属するＰＤＣＣＨに対するモニタリング動作を指示する。
【０１０９】
具体的には、ＤＣＩにビットを追加して、いずれか１種又はいずれか複数種のサーチスペースタイプを対象とするかを示すことができる。
【０１１０】
上記（ａ）〜（ｆ）において、Ｎは１以上である。
【０１１１】
本開示の実施例では、任意選択的に、前記モニタリング動作は、後続のＮ個のスロットで前記ＰＤＣＣＨをモニターするか否かと、前記後続のＮ個のスロットの対象時間領域シンボルとを含み、前記ＵＥ又は前記ＵＥを含む複数のＵＥは、前記対象時間領域シンボルで前記ＰＤＣＣＨをモニターする。
【０１１２】
本開示の実施例では、任意選択的に、前記後続のＮ個のスロットは、後続のＮ個の、連続又は不連続なスロットと、後続のＮ個の、連続又は不連続な下りスロットと、後続のＮ個の、連続又は不連続な下りスロット及び／又はフレキシブルスロットとのうち、少なくとも１つを含み、前記下りスロットに含まれる時間領域シンボルは、下りシンボル又はフレキシブルシンボルであり、前記フレキシブルスロットは、上りスロット又は下りスロットのシンボルであり、前記上りスロットに含まれる時間領域シンボルは、上りシンボル又はフレキシブルシンボルである。
【０１１３】
本開示の実施例では、任意選択的に、前記物理層シグナリング又は媒体アクセス制御ＭＡＣ層シグナリングが受信される第３スロットと、前記後続のＮ個のスロットのうち最初のスロットとの間に第２間隔が存在し、前記第２間隔は０個のスロットであり、又は規格によって予め定義された固定数のスロットであり、又は前記第２間隔の長さがネットワーク側によって設定される。
【０１１４】
本開示の実施例では、物理層シグナリング又はＭＡＣシグナリングで１つ又は複数のＵＥのモニタリング動作を指示することにより、ＵＥの不要なＰＤＣＣＨモニタリングから生じる電力消費を低減させる。
【０１１５】
本開示の実施例はさらにユーザ機器を提供するが、ユーザ機器が問題を解決する原理は、本開示の実施例におけるＳＦＩの決定方法と類似するため、該ユーザ機器の実施は、方法の実施を参照することができ、重複する説明は省略する。
【０１１６】
図６は本開示の実施例に係るＵＥの構造図を示している。該ＵＥ６００は、
ネットワーク側から、物理層シグナリング又は媒体アクセス制御ＭＡＣ層シグナリングを受信するための第１受信モジュール６０１と、
前記物理層シグナリング又はＭＡＣ層シグナリングに基づいて、該ＵＥのＳＦＩを決定するための第１決定モジュール６０２とを備え、
前記物理層シグナリング又はＭＡＣ層シグナリングは該ＵＥ又は該ＵＥを含む複数のＵＥのＳＦＩを指示する。
【０１１７】
具体的に、ＳＦＩによって指示される時間領域シンボルが、上りシンボル及び／又はフレキシブルシンボルである場合、ＵＥは、ＳＦＩによって指示される前記時間領域シンボルでＰＤＣＣＨをモニターしない。ここで、該フレキシブルシンボルは、上りシンボル又は下りシンボルのシンボルに設定してもよい。
【０１１８】
本開示の実施例では、任意選択的に、第１受信モジュール６０１は、第１のＤＣＩフォーマットを有するＰＤＣＣＨ上の物理層シグナリングを受信するために用いられる。
【０１１９】
本開示の実施例では、任意選択的に、第１のＤＣＩフォーマットのＰＤＣＣＨのＣＲＣは、ＵＥ個別ＲＮＴＩ、例えばＣ−ＲＮＴＩ、ＴＣ−ＲＮＴＩによってスクランブルされる。
【０１２０】
本開示の実施例では、任意選択的に、第１のＤＣＩフォーマットのＰＤＣＣＨのＣＲＣは、複数のＵＥに対応するＲＮＴＩ、例えばＳＦＩ−ＲＮＴＩ又は他のＲＮＴＩによってスクランブルされる。
【０１２１】
本開示の実施例では、任意選択的に、第１のＤＣＩフォーマットのビットは、第１のＤＣＩフォーマットの識別子と、１つ又は複数のスロットフォーマット指示子とを含み、１つ又は複数のスロットフォーマット指示子は、該ＵＥの後続のＮ個のスロットにおけるスロットフォーマットに対応するか、又は前記ＵＥを含む複数のＵＥの後続のＮ個のスロットにおけるスロットフォーマットに対応する。
【０１２２】
例えば、複数のスロットフォーマット指示子が、該ＵＥの後続のＮ個のスロットにおけるスロットフォーマットに対応する場合、該複数のスロットフォーマット指示子は、スロットフォーマット指示子１（Ｓｌｏｔ  Ｆｏｒｍａｔ  Ｉｎｄｉｃａｔｏｒ１）、スロットフォーマット指示子２、……、スロットフォーマット指示子Ｎを含み、ＮはＮ個のスロットを表す。
【０１２３】
別の例として、複数のスロットフォーマット指示子が、該ＵＥを含む複数のＵＥの後続のＮ個のスロットにおけるスロットフォーマットに対応する場合、該複数のスロットフォーマット指示子は、第１のＵＥのスロットフォーマット指示子１、第１のＵＥのスロットフォーマット指示子２、……、第１のＵＥのスロットフォーマット指示子Ｎ、第２のＵＥのスロットフォーマット指示子１、第２のＵＥのスロットフォーマット指示子２、……、第２のＵＥのスロットフォーマット指示子Ｎ（以下同様）を含み、ここで、ＮはＮ個のスロットを表す。
【０１２４】
本開示の実施例では、任意選択的に、ＳＦＩは、１つ又は複数のＵＥが後続のＮ個のスロットにおけるスロットフォーマット（Ｓｌｏｔ  Ｆｏｒｍａｔ、ＳＦ）を指示し、Ｎは、１以上である。さらに、異なるＵＥのＳＦは異なってよい。
【０１２５】
本開示の実施例では、任意選択的に、前記物理層シグナリング又はＭＡＣ層シグナリングが受信される第１スロットと、前記ＳＦＩが有効となる第２スロットとの間に第１間隔が存在する。さらに、第１間隔は、規格によって予め定義された０個のスロットであり、又は前記第１間隔は、規格によって予め定義された固定数のスロットであり、又は第１間隔の長さがネットワーク側によって設定される。
【０１２６】
本開示の実施例で提供されるユーザ機器は、上述の方法実施例を実行することができ、その実現原理及び技術的効果は類似しており、本実施例では詳しい説明を省略する。
【０１２７】
本開示の実施例はさらにネットワーク側機器を提供するが、ネットワーク側機器が問題を解決する原理が本開示の実施例におけるＳＦＩの設定方法と類似するため、該ネットワーク側機器の実施は、方法の実施を参照することができ、重複する説明は省略する。
【０１２８】
図７は、本開示の実施例に係るネットワーク側機器の構造図を示している。該ネットワーク側機器７００は、
１つ又は複数のＵＥに、物理層シグナリング又はＭＡＣ層シグナリングを送信するための第１送信モジュール７０１を備え、前記物理層シグナリング又はＭＡＣ層シグナリングは前記１つ又は複数のＵＥのＳＦＩを指示する。
【０１２９】
本開示の実施例では、任意選択的に、前記第１送信モジュール７０１は、さらに、第１のＤＣＩフォーマットを有するＰＤＣＣＨで１つ又は複数のＵＥに物理層シグナリングを送信するために用いられる。
【０１３０】
本開示の実施例では、任意選択的に、第１のＤＣＩフォーマットのＰＤＣＣＨのＣＲＣは、ＵＥ個別ＲＮＴＩ、例えばＣ−ＲＮＴＩ又はＴＣ−ＲＮＴＩによってスクランブルされる。
【０１３１】
本開示の実施例では、任意選択的に、第１のＤＣＩフォーマットのＰＤＣＣＨのＣＲＣは、複数のＵＥに対応するＲＮＴＩ、例えばＳＦＩ−ＲＮＴＩ又は他のＲＮＴＩによってスクランブルされる。
【０１３２】
本開示の実施例では、任意選択的に、第１のＤＣＩフォーマットのＤＣＩのビットは、第１のＤＣＩフォーマットの識別子と、１つ又は複数のスロットフォーマット指示子とを含み、該１つ又は複数のスロットフォーマット指示子は、１つのＵＥの後続のＮ個のスロットにおけるスロットフォーマットに対応するか、又は複数のＵＥの後続のＮ個のスロットにおけるスロットフォーマットに対応し、Ｎは１以上である。
【０１３３】
本開示の実施例では、任意選択的に、前記ＳＦＩは、１つ又は複数のＵＥが後続のＮ個のスロットにおけるスロットフォーマットを指示し、Ｎは１以上である。
【０１３４】
本開示の実施例では、任意選択的に、前記ＳＦＩによって指示される時間領域シンボルが、上りシンボル及び／又はフレキシブルシンボルである場合、ＵＥは前記ＳＦＩによって指示される前記時間領域シンボルでＰＤＣＣＨをモニターしないことを示す。ここで、前記フレキシブルシンボルは、上りシンボル又は下りシンボルのシンボルに設定してもよい。
【０１３５】
本開示の実施例で提供されるネットワーク側機器は、上述の方法実施例を実行することができ、その実現原理と技術的効果は類似し、本実施例では詳しい説明は省略する。
【０１３６】
本開示の実施例はさらにユーザ機器を提供するが、ユーザ機器が問題を解決する原理は、本開示の実施例における物理下り制御チャネルのモニタリング方法と類似するため、該ユーザ機器の実施は、方法の実施を参照することができ、重複する説明は省略する。
【０１３７】
図８は本開示の実施例に係るＵＥの構造図を示している。該ＵＥ８００は、
ネットワーク側から、物理層シグナリング又はＭＡＣ層シグナリングを受信するための第２受信モジュール８０１と、
前記物理層シグナリング又はＭＡＣ層シグナリングに基づいて、ＵＥによるＰＤＣＣＨに対するモニタリング動作を決定するための第２決定モジュール８０２とを備え、
前記物理層シグナリング又はＭＡＣ層シグナリングは前記ＵＥ又は前記ＵＥを含む複数のＵＥによるＰＤＣＣＨに対するモニタリング動作を指示する。
【０１３８】
本開示の実施例では、任意選択的に、第２受信モジュール８０１は、さらに、第２のＤＣＩフォーマットを有するＰＤＣＣＨ上の物理層シグナリングを受信するために用いられる。
【０１３９】
本開示の実施例では、任意選択的に、第２のＤＣＩフォーマットのＰＤＣＣＨのＣＲＣは、ＵＥ個別ＲＮＴＩ、例えばＣ−ＲＮＴＩ又はＴＣ−ＲＮＴＩによってスクランブルされる。
【０１４０】
本開示の実施例では、任意選択的に、第２のＤＣＩフォーマットのＰＤＣＣＨのＣＲＣは、複数のＵＥに対応するＲＮＴＩ、例えばＳＦＩ−ＲＮＴＩ又は他のＲＮＴＩによってスクランブルされる。
【０１４１】
本開示の実施例では、物理層シグナリング又はＭＡＣ層シグナリングは、ＵＥ又は該ＵＥを含む複数のＵＥによるＰＤＣＣＨに対するモニタリング動作を指示するステップは、以下の少なくとも１つのステップを含む：
【０１４２】
（ａ）物理層シグナリング又はＭＡＣ層シグナリングは、該ＵＥ又は該ＵＥを含む複数のＵＥによる、後続のＮ個のスロットにおけるＰＤＣＣＨに対するモニタリング動作を指示し、Ｎは１以上である。
【０１４３】
物理層シグナリング又はＭＡＣ層シグナリングは、該ＵＥによる、後続のＮ個のスロットにおけるＰＤＣＣＨに対するモニタリング動作を指示することを例にとる。
【０１４４】
例えば、１０ビット（ｂｉｔ）のビットマップ（ｂｉｔｍａｐ）では、その位置が、後続の１０個のスロットの各々が存在する時刻を表し、１に設定されると、モニター（ｍｏｎｉｔｏｒ）することを表し、０に設定されると、モニターしないことを表す。
【０１４５】
物理層シグナリング又はＭＡＣ層シグナリングは、該ＵＥを含む複数のＵＥによる、後続のＮ個のスロットにおけるＰＤＣＣＨに対するモニタリング動作を指示することを例にとる。
【０１４６】
例えば、４０ビットのビットマップは４つのＵＥのモニタリング動作を指示し、最初の１０ビットは、第１のＵＥが後続の１０個のスロットでＰＤＣＣＨをモニターするか否かを表し、その位置は、後続の１０個のスロットの各々が存在する時刻を表し、１に設定されると、ＰＤＣＣＨをモニターすることを表し、０に設定されると、ＰＤＣＣＨをモニターしないことを表す。第１１〜２０のビットは、第２のＵＥが後続の１０個のスロットでＰＤＣＣＨをモニターするか否かを表し、その位置は、後続の１０個のスロットの各々が存在する時刻を表し、１に設定されると、ＰＤＣＣＨをモニターすることを表し、０に設定されると、ＰＤＣＣＨをモニターしないことを表す。以下は同様である。
（ｂ）物理層シグナリング又はＭＡＣ層シグナリングは、該ＵＥ又は該ＵＥを含む複数のＵＥによる、後続のＮ個のスロットにおけるＰＤＣＣＨに対するモニタリング動作、及びモニターされる時間領域シンボルを指示する。
【０１４７】
物理層シグナリング又はＭＡＣ層シグナリングは、該ＵＥによる、後続のＮ個のスロットにおけるＰＤＣＣＨに対するモニタリング動作、及びモニターされる時間領域シンボルを指示することを例にとる。
【０１４８】
例えば、３０ビットのビットマップでは、第１のビットは、後続の最初のスロットにおけるＰＤＣＣＨをモニターするか否かを表し、１に設定されると、ＰＤＣＣＨをモニターすることを表し、０に設定されると、ＰＤＣＣＨをモニターしないことを表し、第２のビットと第３のビットは、共に、後続の最初のスロットにおけるどんなシンボルでＰＤＣＣＨをモニターするかを指示し、例えば、「００」は、最初のシンボルでＰＤＣＣＨをモニターすることを表し、「０１」は、最初の２シンボルでＰＤＣＣＨをモニターすることを表し、「１０」は、最初の３シンボルでＰＤＣＣＨをモニターすることを表し、「１１」は、予約されている。第４のビットは、後続の第２のスロットにおけるＰＤＣＣＨをモニターするか否かを表し、１に設定されると、ＰＤＣＣＨをモニターすることを表し、０に設定されると、ＰＤＣＣＨをモニターしないことを表し、第５のビットと第６のビットは、共に、後続の第２のスロットにおけるどんなシンボルでＰＤＣＣＨをモニターするかを指示し、例えば、「００」は、最初のシンボルでＰＤＣＣＨをモニターすることを表し、「０１」は、最初の２シンボルでＰＤＣＣＨをモニターすることを表し、「１０」は、最初の３シンボルでＰＤＣＣＨをモニターすることを表し、「１１」は予約されている。以下は同様である。
【０１４９】
物理層シグナリング又はＭＡＣ層シグナリングは、該ＵＥを含む複数のＵＥによる、後続のＮ個のスロットにおけるＰＤＣＣＨに対するモニタリング動作及びモニターされる時間領域シンボルを指示することを例にとる。
【０１５０】
例えば、１２０ビットのビットマップは４つのＵＥのモニタリング動作を指示し、最初の３０ビットは、第１のＵＥが後続の１０個のスロットにおけるＰＤＣＣＨをモニターする動作、及びモニターされる時間領域シンボルを表し、第１のビットは、後続の最初のスロットにおけるＰＤＣＣＨをモニターするか否かを表し、１に設定されると、ＰＤＣＣＨをモニターすることを表し、０に設定されると、ＰＤＣＣＨをモニターしないことを表す。第２のビットと第３のビットは、共に、後続の最初のスロットにおけるどんなシンボルでＰＤＣＣＨをモニターするかを指示し、例えば、「００」は、最初のシンボルでＰＤＣＣＨをモニターすることを表し、「０１」は、最初の２シンボルでＰＤＣＣＨをモニターすることを表し、「１０」は、最初の３シンボルでＰＤＣＣＨをモニターすることを表し、「１１」は、予約されている。第４のビットは、後続の第２のスロットにおけるＰＤＣＣＨをモニターするか否かを表し、１に設定されると、モニターすることを表し、０に設定されると、モニターしないことを表す。第５のビットと第６のビットは、共に、後続の第２のスロットにおけるどんなシンボルでＰＤＣＣＨをモニターするかを指示し、例えば、「００」は、最初のシンボルでＰＤＣＣＨをモニターすることを表し、「０１」は、最初の２シンボルでＰＤＣＣＨをモニターすることを表し、「１０」は、最初の３シンボルでＰＤＣＣＨをモニターすることを表し、「１１」は予約されている。第３１のビット〜第６０のビットは、第２のＵＥによる、後続の１０個のスロットにおけるＰＤＣＣＨに対するモニタリング動作及びモニターされる時間領域シンボルを表す。以下は同様である。
【０１５１】
（ｃ）物理層シグナリング又はＭＡＣ層シグナリングは、該ＵＥ又は該ＵＥを含む複数のＵＥによる、後続のＮ個のスロットにおける１種又は複数種のＤＣＩフォーマットを有するＰＤＣＣＨに対するモニタリング動作を指示する。
【０１５２】
具体的には、ＤＣＩにビットを追加して、いずれか１つ又はいずれか複数のＤＣＩフォーマットを対象とするかを示すことができる。
【０１５３】
（ｄ）物理層シグナリング又はＭＡＣ層シグナリングは、該ＵＥ又は該ＵＥを含む複数のＵＥによる、後続のＮ個のスロットにおける１種又は複数種のＲＮＴＩタイプを有するＰＤＣＣＨに対するモニタリング動作を指示する。
【０１５４】
具体的には、ＤＣＩにビットを追加して、いずれか１種又はいずれか複数種のＲＮＴＩタイプを対象とするかを示すことができる。
【０１５５】
（ｅ）物理層シグナリング又はＭＡＣ層シグナリングは、該ＵＥ又は該ＵＥを含む複数のＵＥによる、後続のＮ個のスロットにおける１つ又は複数のサーチスペースに属するＰＤＣＣＨに対するモニタリング動作を指示する。
【０１５６】
具体的には、ＤＣＩにビットを追加して、いずれか１つ又はいずれか複数のサーチスペースを対象とするかを示すことができる。
【０１５７】
（ｆ）物理層シグナリング又はＭＡＣ層シグナリングは、該ＵＥ又は該ＵＥを含む複数のＵＥによる、後続のＮ個のスロットにおける１種又は複数種のサーチスペースタイプに属するＰＤＣＣＨに対するモニタリング動作を指示する。
【０１５８】
具体的には、ＤＣＩにビットを追加して、いずれか１種又はいずれか複数種のサーチスペースタイプを対象とするかを示すことができる。
【０１５９】
上記（ａ）〜（ｆ）において、Ｎは１以上である。
【０１６０】
本開示の実施例では、任意選択的に、前記モニタリング動作は、後続のＮ個のスロットで前記ＰＤＣＣＨをモニターするか否かと、前記後続のＮ個のスロットの対象時間領域シンボルとを含み、前記ＵＥ又は前記ＵＥを含む複数のＵＥは、前記対象時間領域シンボルで前記ＰＤＣＣＨをモニターする。
【０１６１】
本開示の実施例では、任意選択的に、前記後続のＮ個のスロットは、後続のＮ個の、連続又は不連続なスロットと、後続のＮ個の、連続又は不連続な下りスロットと、後続のＮ個の、連続又は不連続な下りスロット及び／又はフレキシブルスロットとのうち、少なくとも１つを含み、前記下りスロットに含まれる時間領域シンボルは、下りシンボル又はフレキシブルシンボルであり、前記フレキシブルスロットは、上りスロット又は下りスロットのシンボルであり、前記上りスロットに含まれる時間領域シンボルは、上りシンボル又はフレキシブルシンボルである。
【０１６２】
本開示の実施例では、任意選択的に、前記物理層シグナリング又はＭＡＣ層シグナリングが受信される第３スロットと、前記後続のＮ個のスロットのうち最初のスロットとの間に第２間隔が存在し、前記第２間隔は、規格によって予め定義された０個のスロットであり、又は規格によって予め定義された固定数のスロットであり、又は前記第２間隔の長さがネットワーク側によって設定される。
【０１６３】
本開示の実施例で提供されるユーザ機器は、上述の方法実施例を実行することができ、その実現原理及び技術的効果は類似しており、本実施例では詳しい説明を省略する。
【０１６４】
本開示の実施例はさらにネットワーク側機器を提供するが、ネットワーク側機器が問題を解決する原理が、本開示の実施例における下り制御チャネルモニタリングモードの設定方法と類似するため、該ネットワーク側機器の実施は、方法の実施を参照することができ、重複する説明は省略する。
【０１６５】
図９は、本開示の実施例に係るネットワーク側機器の構造図を示している。該ネットワーク側機器９００は、
１つ又は複数のＵＥに、物理層シグナリング又はＭＡＣ層シグナリングを送信するための第２送信モジュールを備え、前記物理層シグナリング又はＭＡＣ層シグナリングは１つ又は複数のＵＥによるＰＤＣＣＨに対するモニタリング動作を指示する。
【０１６６】
本開示の実施例では、任意選択的に、第２送信モジュール９０１は、さらに、第２のＤＣＩフォーマットを有するＰＤＣＣＨで１つ又は複数のＵＥに物理層シグナリングを送信するために用いられる。
【０１６７】
本開示の実施例では、任意選択的に、第２のＤＣＩフォーマットのＰＤＣＣＨのＣＲＣは、ＵＥ個別ＲＮＴＩ、例えばＣ−ＲＮＴＩ又はＴＣ−ＲＮＴＩによってスクランブルされる。
【０１６８】
本開示の実施例では、任意選択的に、第２のＤＣＩフォーマットのＰＤＣＣＨのＣＲＣは、複数のＵＥに対応するＲＮＴＩ、例えばＳＦＩ−ＲＮＴＩ又は他のＲＮＴＩによってスクランブルされる。
【０１６９】
本開示の実施例では、物理層シグナリング又はＭＡＣ層シグナリングは、ＵＥ又は該ＵＥを含む複数のＵＥによるＰＤＣＣＨに対するモニタリング動作を指示するステップは、以下の少なくとも１つのステップを含む：
【０１７０】
（ａ）物理層シグナリング又はＭＡＣ層シグナリングは、該ＵＥ又は該ＵＥを含む複数のＵＥによる、後続のＮ個のスロットにおけるＰＤＣＣＨに対するモニタリング動作を指示し、Ｎは１以上である。
【０１７１】
（ｂ）物理層シグナリング又はＭＡＣ層シグナリングは、該ＵＥ又は該ＵＥを含む複数のＵＥによる、後続のＮ個のスロットにおけるＰＤＣＣＨに対するモニタリング動作、及びモニターされる時間領域シンボルを指示する。
【０１７２】
（ｃ）物理層シグナリング又はＭＡＣ層シグナリングは、該ＵＥ又は該ＵＥを含む複数のＵＥによる、後続のＮ個のスロットにおける１種又は複数種のＤＣＩフォーマットを有するＰＤＣＣＨに対するモニタリング動作を指示する。
【０１７３】
具体的には、ＤＣＩにビットを追加して、いずれか１つ又はいずれか複数のＤＣＩフォーマットを対象とするかを示すことができる。
【０１７４】
（ｄ）物理層シグナリング又はＭＡＣ層シグナリングは、該ＵＥ又は該ＵＥを含む複数のＵＥによる、後続のＮ個のスロットにおける１種又は複数種のＲＮＴＩタイプを有するＰＤＣＣＨに対するモニタリング動作を指示する。
【０１７５】
具体的には、ＤＣＩにビットを追加して、いずれか１つ又はいずれか複数のＲＮＴＩを対象とするかを示すことができる。
【０１７６】
（ｅ）物理層シグナリング又はＭＡＣ層シグナリングは、該ＵＥ又は該ＵＥを含む複数のＵＥによる、後続のＮ個のスロットにおける１つ又は複数のサーチスペースに属するＰＤＣＣＨに対するモニタリング動作を指示する。
【０１７７】
具体的には、ＤＣＩにビットを追加して、いずれか１つ又はいずれか複数のサーチスペースを対象とするかを示すことができる。
【０１７８】
（ｆ）物理層シグナリング又はＭＡＣ層シグナリングは、該ＵＥ又は該ＵＥを含む複数のＵＥによる、後続のＮ個のスロットにおける１種又は複数種のサーチスペースタイプに属するＰＤＣＣＨに対するモニタリング動作を指示する。
【０１７９】
具体的には、ＤＣＩにビットを追加して、いずれか１つ又はいずれか複数のサーチスペースタイプを対象とするかを示すことができる。
【０１８０】
上記（ａ）〜（ｆ）において、Ｎは１以上である。
【０１８１】
本開示の実施例では、任意選択的に、前記モニタリング動作は、後続のＮ個のスロットで前記ＰＤＣＣＨをモニターするか否かと、前記後続のＮ個のスロットの対象時間領域シンボルとを含み、前記ＵＥ又は前記ＵＥを含む複数のＵＥは、前記対象時間領域シンボルで前記ＰＤＣＣＨをモニターする。
【０１８２】
本開示の実施例では、任意選択的に、前記後続のＮ個のスロットは、後続のＮ個の、連続又は不連続なスロットと、後続のＮ個の、連続又は不連続な下りスロットと、後続のＮ個の、連続又は不連続な下りスロット及び／又はフレキシブルスロットとのうち、少なくとも１つを含み、前記下りスロットに含まれる時間領域シンボルは、下りシンボル又はフレキシブルシンボルであり、前記フレキシブルスロットは、上りスロット又は下りスロットのシンボルであり、前記上りスロットに含まれる時間領域シンボルは、上りシンボル又はフレキシブルシンボルである。
【０１８３】
本開示の実施例では、任意選択的に、前記物理層シグナリング又はＭＡＣ層シグナリングが受信される第３スロットと、前記後続のＮ個のスロットのうち最初のスロットとの間に第２間隔が存在し、前記第２間隔は、規格によって予め定義された０個のスロットであり、又は規格によって予め定義された固定数のスロットであり、又は前記第２間隔の長さがネットワーク側によって設定される。
【０１８４】
本開示の実施例で提供されるネットワーク側機器は、上述の方法実施例を実行することができ、その実現原理と技術的効果は類似し、本実施例では詳しい説明を省略する。
【０１８５】
図１０に示すユーザ機器１０００は、少なくとも１つのプロセッサ１００１と、メモリ１００２と、少なくとも１つのネットワークインターフェース１００４と、ユーザインターフェース１００３とを備える。ユーザ機器１０００の中の様々なコンポーネントは、バスシステム１００５を介して互いに結合される。バスシステム１００５は、これらのコンポーネント間の接続通信を実現するために用いられる。バスシステム１００５は、データバスに加えて、電源バス、制御バス、及びステータス信号バスをも含む。しかし、図１０では、説明を明瞭にするために、各種バスは何れもバスシステム１００５として示されている。
【０１８６】
ユーザインターフェース１００３は、ディスプレイ、キーボード、又はポインティングデバイス（例えば、マウス、トラックボール（ｔｒａｃｋｂａｌｌ）、タッチパッド、又はタッチスクリーンなどを含んでよい。
【０１８７】
本開示の実施形態におけるメモリ１００２は、揮発性メモリ又は不揮発性メモリのいずれかであってもよく、又は揮発性メモリと不揮発性メモリとの両方を含んでもよい。ここで、不揮発性メモリは、読み出し専用メモリ（Ｒｅａｄ−Ｏｎｌｙ  Ｍｅｍｏｒｙ、  ＲＯＭ）、プログラマブル読み取り専用メモリ（Ｐｒｏｇｒａｍｍａｂｌｅ  ＲＯＭ、ＰＲＯＭ）、消去可能型プログラマブル読み取り専用メモリ（Ｅｒａｓａｂｌｅ  ＰＲＯＭ、ＥＰＲＯＭ）、電気的消去可能型プログラマブル読み出し専用メモリ（Ｅｌｅｃｔｒｉｃａｌｌｙ  ＥＰＲＯＭ、ＥＥＰＲＯＭ）又はフラッシュメモリであってもよい。揮発性メモリは、外部キャッシュとして用いられるランダムアクセスメモリ（Ｒａｎｄｏｍ  Ａｃｃｅｓｓ  Ｍｅｍｏｒｙ、ＲＡＭ）であってもよい。限定的ではない例示的な説明として、多くの形態のＲＡＭ、例えば、静的ランダムアクセスメモリ（Ｓｔａｔｉｃ  ＲＡＭ、ＳＲＡＭ）、動的ランダムアクセスメモリ（Ｄｙｎａｍｉｃ  ＲＡＭ、ＤＲＡＭ）、シンクロナスダイナミックランダムアクセスメモリ（Ｓｙｎｃｈｒｏｎｏｕｓ  ＤＲＡＭ、ＳＤＲＡＭ）、ダブルデータレートシンクロナスダイナミックランダムアクセスメモリ（Ｄｏｕｂｌｅ  Ｄａｔａ  ｒａｔｅ  ＳＤＲＡＭ、ＤＤＲＳＤＲＡＭ）、エンハンストシンクロナスダイナミックランダムアクセスメモリ（Ｅｎｈａｎｃｅｄ  ＳＤＲＡＭ、ＥＳＤＲＡＭ）、シンクロナスリンクダイナミックランダムアクセスメモリ（Ｓｙｎｃｈｌｉｎｋ  ＤＲＡＭ、ＳＬＤＲＡＭ）、及びダイレクトＲＡＭバスランダムアクセスメモリ（Ｄｉｒｅｃｔ  Ｒａｍｂｕｓ  ＲＡＭ、ＤＲＲＡＭ）などが利用可能である。本開示の実施形態で説明されるシステム及び方法のメモリ１００２は、これら及び他の任意の適切なタイプのメモリを含むが、これらに限定されない。
【０１８８】
いくつかの実装形態において、メモリ１００２は、オペレーティングシステム１００２１及びアプリケーションプログラム１００２２を記憶し、モジュール又はデータ構造、又はそれらのサブセット、或いはそれらの拡張セットを実行可能である。
【０１８９】
ここで、オペレーティングシステム１００２１は、各種システムプログラム、例えば、フレームワーク層、コアライブラリ層、ドライバ層等を含み、各種基幹業務の実現及びハードウェアベースのタスクの処理に用いられる。アプリケーションプログラム１００２２は、各種のアプリケーションプログラム、例えば、メディアプレーヤ（Ｍｅｄｉａ  Ｐｌａｙｅｒ）、ブラウザ（Ｂｒｏｗｓｅｒ）などを含み、各種のアプリケーションサービスを実現するために用いられる。本開示の実施例の方法を実現するプログラムは、アプリケーションプログラム１００２２に含まれることができる。
【０１９０】
本開示の実施例では、メモリ１００２に記憶されているプログラム又は命令、例えば、アプリケーションプログラム１００２２に記憶されているプログラム又は命令、を呼び出すことによって、実行する時に、ネットワーク側から物理層シグナリング又は媒体アクセス制御ＭＡＣ層シグナリングを受信するステップと、前記物理層シグナリング又はＭＡＣ層シグナリングに基づいて、前記ＵＥのＳＦＩを決定するステップとを実現することができ、前記物理層シグナリング又はＭＡＣ層シグナリングは、前記ＵＥ又は前記ＵＥを含む複数のＵＥのＳＦＩを指示する。
【０１９１】
本開示の別の実施例では、メモリ１００２に記憶されているプログラム又は命令、例えば、アプリケーションプログラム１００２２に記憶されているプログラム又は命令を呼び出すことによって、実行する時に、ネットワーク側から物理層シグナリング又はＭＡＣ層シグナリングを受信するステップと、前記物理層シグナリング又はＭＡＣ層シグナリングに基づいて、前記ＵＥによるＰＤＣＣＨに対するモニタリング動作を決定するステップとを実現することができ、前記物理層シグナリング又はＭＡＣ層シグナリングは前記ＵＥ又は前記ＵＥを含む複数のＵＥによるＰＤＣＣＨに対するモニタリング動作を指示する。
【０１９２】
本開示の実施例で提供されるユーザ機器は、上述の方法実施例を実行することができ、その実現原理及び技術的効果は類似しており、本実施例では詳しい説明を省略する。
【０１９３】
図１１に示すように、本開示の実施例は、プロセッサ１１０１と、トランシーバ１１０２と、メモリ１１０３と、ユーザインターフェース１１０４と、バスインターフェースとを備える別のネットワーク側機器１１００を提供する。
【０１９４】
プロセッサ１１０１は、バスアーキテクチャ及び通常の処理を管理する役割を担うことができる。メモリ１１０３は、動作を実行する際にプロセッサ１１０１によって使用されるデータを記憶することができる。
【０１９５】
本開示の実施例では、ネットワーク側機器１１００は、メモリ１１０３に記憶され、プロセッサ１１０１上で実行可能なコンピュータプログラムを更に含んでもよく、該コンピュータプログラムがプロセッサ１１０１によって実行されると、１つ又は複数のＵＥに物理層シグナリング又はＭＡＣ層シグナリングを送信するステップが実現され、前記物理層シグナリング又はＭＡＣ層シグナリングは、前記１つ又は複数のＵＥのＳＦＩを指示する。
【０１９６】
本開示の別の実施例では、ネットワーク側機器１１００は、メモリ１１０３に記憶され、プロセッサ１１０１上で実行可能なコンピュータプログラムを更に含んでもよく、該コンピュータプログラムがプロセッサ１１０１によって実行されると、１つ又は複数のＵＥに物理層シグナリング又はＭＡＣ層シグナリングを送信するステップが実現され、前記物理層シグナリング又はＭＡＣ層シグナリングは、前記１つ又は複数のＵＥによるＰＤＣＣＨに対するモニタリング動作を指示する。
【０１９７】
図１１において、バスアーキテクチャは、任意の数の相互接続されたバス及びブリッジを含むことができ、具体的には、プロセッサ１１０１によって表される１つ又は複数のプロセッサと、メモリ１１０３によって表されるメモリの各種回路を一緒にリンクして含むことができる。バスアーキテクチャはまた、周辺機器、電圧レギュレータ、電力管理回路など様々な他の回路を互いにリンクすることができる。それらは当技術分野において公知されており、したがって、本開示ではこれ以上説明しない。バスインターフェースはインターフェースを提供する。トランシーバ１１０２は、送信機と受信機を含む複数の要素であってよく、伝送媒体上で様々な他の装置と通信するためのユニットを提供する。
【０１９８】
本開示の開示内容に関連して説明された方法又はアルゴリズムのステップは、ハードウェアの形態で実現されてもよく、又はプロセッサがソフトウェア命令を実行する形態で実現されてもよい。ソフトウェア命令は、対応するソフトウェアモジュールから構成されことができ、そのソフトウェアモジュールはＲＡＭ、フラッシュメモリ、ＲＯＭ、ＥＰＲＯＭ、ＥＥＰＲＯＭ、レジスタ、ハードディスク、モバイルハードディスク、読み取り専用光ディスク、又は当技術分野で知られている任意の他の形態の記憶媒体に記憶することができる。例示的な記憶媒体は、プロセッサに結合され、それにより、プロセッサが該記憶媒体から情報を読み取り、かつ該記憶媒体に情報を書き込むことができる。当然ながら、記憶媒体はプロセッサの一部であってもよい。プロセッサ及び記憶媒体は、ＡＳＩＣ内に配置することができる。さらに、該ＡＳＩＣは、コアネットワークインターフェース機器内に配置されてもよい。当然ながら、プロセッサ及び記憶媒体は、別個のコンポーネントとしてコアネットワークインターフェース機器内に存在してもよい。
【０１９９】
当業者は、上述の１つ又は複数の例において、本開示で説明される機能が、ハードウェア、ソフトウェア、ファームウェア、又はそれらの任意の組合せによって実現可能であることを認識するはずである。ソフトウェアによって実現される場合、これらの機能は、コンピュータ可読媒体に記憶するか、又はコンピュータ可読媒体上の１つ以上の命令もしくはコードとして送信することができる。コンピュータ可読媒体は、コンピュータ記憶媒体と通信媒体を含み、通信媒体はある場所から別の場所へのコンピュータプログラムの転送を容易にする任意の媒体を含む。記憶媒体は、汎用又は専用コンピュータによってアクセスできる任意の利用可能な媒体とすることができる。
【０２００】
上記の具体的な実施形態は、本開示の目的、技術案、及び有益な効果についてさらに詳細に説明したが、上記は本開示の具体的な実施形態に過ぎず、本開示の保護範囲を制限するものではなく、本開示の技術案に基づいてなされたあらゆる修正、等価な置換、改良等は、本開示の保護範囲内に含まれる。
【０２０１】
当業者は、本開示の実施例が、方法、システム、又はコンピュータプログラム製品として提供できることを理解するはずである。したがって、本開示の実施例は、完全なハードウェアの実施例、完全なソフトウェアの実施例、又はソフトウェア及びハードウェアを組み合わせた実施例の形を採用することができる。さらに、本開示の実施例は、コンピュータ使用可能プログラムコードを内部に含む１つ又は複数のコンピュータ使用可能記憶媒体（磁気ディスク記憶機器、ＣＤ−ＲＯＭ、光学記憶機器などが挙げられるが、これらに限定されない）上で実現されるコンピュータプログラム製品の形態を採用することができる。
【０２０２】
本開示の実施例は、本開示の実施例の方法、機器（システム）、及びコンピュータプログラム製品のフローチャート及び／又はブロック図を参照して説明される。コンピュータプログラム命令によって、フローチャート及び／又はブロック図における各フロー及び／又はブロック、並びにフローチャート及び／又はブロック図におけるフロー及び／又はブロックの組み合わせを実現することができる。これらのコンピュータプログラム命令を、汎用コンピュータ、専用コンピュータ、組み込みプロセッサ、又は他のプログラマブルデータ処理機器のプロセッサに提供してマシンを生成し、コンピュータ又は他のプログラマブルデータ処理機器のプロセッサによって実行される命令が、フローチャートの１つ又は複数のフロー、及び／又はブロック図の１つ又は複数のブロックにおいて指定される機能を実現するための手段を生成させることができる。
【０２０３】
これらのコンピュータプログラム命令は、コンピュータ又は他のプログラマブルデータ処理機器に特定の方法で機能するように指示することができるコンピュータ可読メモリに記憶されてもよく、その結果、該コンピュータ可読メモリに記憶された命令が命令手段を含む製品を生成し、前記命令手段は、フローチャートの１つ又は複数のフロー及び／又はブロック図の１つ又は複数のブロックにおいて指定された機能を実現する。
【０２０４】
これらのコンピュータプログラム命令は、コンピュータ又は他のプログラマブルデータ処理機器にロードすることもでき、その結果、コンピュータ又は他のプログラマブル機器上で一連の動作ステップが実行され、コンピュータで実現される処理を生成し、それにより、コンピュータ又は他のプログラマブル機器上で実行される命令が、フローチャートの１つ又は複数のフロー、及び／又はブロック図の１つ又は複数のブロック内において指定された機能を実現するためのステップを提供する。
【０２０５】
明らかに、当業者は、本発明の趣旨及び範囲から逸脱することなく、本開示の実施例に対して様々な変更及び変形を行うことができる。したがって、本発明の実施例のこれらの変形及び変更が本発明の特許請求の範囲及びその均等範囲内に含まれる場合、本開示がこれらの変形及び変更を含むことも意図される。
【符号の説明】
【０２０６】
１０  ネットワーク側機器
１１  UE
６００  UE
６０１  第１受信モジュール
６０２  第１決定モジュール
７００  ネットワーク側機器
７０１  第１送信モジュール
８００  UE
８０１  第２受信モジュール
８０２  第２決定モジュール
９００  ネットワーク側機器
９０１  第２送信モジュール
１０００  ユーザ機器
１００１  プロセッサ
１００２  メモリ
１００３  ユーザインターフェース
１００４  ネットワークインターフェース
１００５  バスシステム
１００２１  オペレーティングシステム
１００２２  アプリケーションプログラム
１１００  ネットワーク側機器
１１０１  プロセッサ
１１０２  トランシーバ
１１０３  メモリ
１１０４  ユーザインターフェース
【図１】
2021520143.tif 000003
【図２】
2021520143.tif 000004
【図３】
2021520143.tif 000005
【図４】
2021520143.tif 000006
【図５】
2021520143.tif 000007
【図６】
2021520143.tif 000008
【図７】
2021520143.tif 000009
【図８】
2021520143.tif 000010
【図９】
2021520143.tif 000011
【図１０】
2021520143.tif 000012
【図１１】
2021520143.tif 000013
【手続補正書】
【提出日】令和2年10月13日(2020.10.13)
【手続補正１】
【補正対象書類名】特許請求の範囲
【補正対象項目名】全文
【補正方法】変更
【補正の内容】
【特許請求の範囲】
【請求項１】
ユーザ機器ＵＥにおける、物理下り制御チャネルのモニタリング方法であって、
ネットワーク側から物理層シグナリング又は媒体アクセス制御ＭＡＣ層シグナリングを受信するステップと、
前記物理層シグナリング又はＭＡＣ層シグナリングに基づいて、前記ＵＥによる物理下り制御チャネルＰＤＣＣＨに対するモニタリング動作を決定するステップとを含み、
前記物理層シグナリング又はＭＡＣ層シグナリングは、前記ＵＥ又は前記ＵＥを含む複数のＵＥによるＰＤＣＣＨに対するモニタリング動作を指示する、方法。
【請求項２】
前記ネットワーク側から物理層シグナリングを受信するステップは、
第２の下り制御情報ＤＣＩフォーマットを有するＰＤＣＣＨ上の物理層シグナリングを受信するステップを含む、請求項１に記載の方法。
【請求項３】
前記第２のＤＣＩフォーマットのＰＤＣＣＨの巡回冗長検査ＣＲＣは、ＵＥ個別無線ネットワーク一時的識別子ＲＮＴＩによってスクランブルされるか、又は、前記第２のＤＣＩフォーマットのＰＤＣＣＨのＣＲＣは、複数のＵＥに対応するＲＮＴＩによってスクランブルされる、請求項２に記載の方法。
【請求項４】
前記物理層シグナリング又はＭＡＣ層シグナリングは、前記ＵＥ又は前記ＵＥを含む複数のＵＥによるＰＤＣＣＨに対するモニタリング動作を指示するステップは、
前記物理層シグナリング又はＭＡＣ層シグナリングは、前記ＵＥ又は前記ＵＥを含む複数のＵＥによる、後続のＮ個のスロットにおけるＰＤＣＣＨに対するモニタリング動作を指示するステップと、
前記物理層シグナリング又はＭＡＣ層シグナリングは、前記ＵＥ又は前記ＵＥを含む複数のＵＥによる、後続のＮ個のスロットにおける１種又は複数種のＤＣＩフォーマットを有するＰＤＣＣＨに対するモニタリング動作を指示するステップと、
前記物理層シグナリング又はＭＡＣ層シグナリングは、前記ＵＥ又は前記ＵＥを含む複数のＵＥによる、後続のＮ個のスロットにおける１種又は複数種のＲＮＴＩタイプを有するＰＤＣＣＨに対するモニタリング動作を指示するステップと、
前記物理層シグナリング又はＭＡＣ層シグナリングは、前記ＵＥ又は前記ＵＥを含む複数のＵＥによる、後続のＮ個のスロットにおける１つ又は複数のサーチスペースに属するＰＤＣＣＨに対するモニタリング動作を指示するステップと、
前記物理層シグナリング又はＭＡＣ層シグナリングは、前記ＵＥ又は前記ＵＥを含む複数のＵＥによる、後続のＮ個のスロットにおける１種又は複数種のサーチスペースタイプに属するＰＤＣＣＨに対するモニタリング動作を指示するステップとのうち、少なくとも１つを含み、
Ｎは１以上である、請求項１に記載の方法。
【請求項５】
前記モニタリング動作は、
前記後続のＮ個のスロットで前記ＰＤＣＣＨをモニターするか否かと、
前記後続のＮ個のスロットの対象時間領域シンボルで前記ＰＤＣＣＨをモニターすることとを含み、
前記ＵＥ又は前記ＵＥを含む複数のＵＥは、前記対象時間領域シンボルで前記ＰＤＣＣＨをモニターする、請求項４に記載の方法。
【請求項６】
前記後続のＮ個のスロットは、
後続のＮ個の、連続又は不連続なスロットと、
後続のＮ個の、連続又は不連続な下りスロットと、
後続のＮ個の、連続又は不連続な下りスロット及び／又はフレキシブルスロットとのうち、少なくとも１つを含み、
前記下りスロットに含まれる時間領域シンボルは、下りシンボル又はフレキシブルシンボルである、請求項４に記載の方法。
【請求項７】
前記物理層シグナリング又は媒体アクセス制御ＭＡＣ層シグナリングが受信される第３スロットと、前記後続のＮ個のスロットのうち最初のスロットとの間に第２間隔が存在し、
前記第２間隔は、規格によって予め定義された０個のスロット又は固定数のスロットであるか、又は前記第２間隔の長さがネットワーク側によって設定される、請求項４に記載の方法。
【請求項８】
ネットワーク側機器における、下り制御チャネルのモニタリングモードの設定方法であって、
１つ又は複数のユーザ機器ＵＥに物理層シグナリング又は媒体アクセス制御ＭＡＣ層シグナリングを送信するステップを含み、
前記物理層シグナリング又はＭＡＣ層シグナリングは、１つ又は複数のＵＥによる物理下り制御チャネルＰＤＣＣＨに対するモニタリング動作を指示する、方法。
【請求項９】
前記１つ又は複数のＵＥに物理層シグナリングを送信するステップは、
第２の下り制御情報ＤＣＩフォーマットを有するＰＤＣＣＨで１つ又は複数のＵＥに物理層シグナリングを送信するステップを含む、請求項８に記載の方法。
【請求項１０】
前記第２のＤＣＩフォーマットのＰＤＣＣＨの巡回冗長検査ＣＲＣは、ＵＥ個別無線ネットワーク一時的識別子ＲＮＴＩによってスクランブルされるか、又は、前記第２のＤＣＩフォーマットのＰＤＣＣＨのＣＲＣは、複数のＵＥに対応するＲＮＴＩによってスクランブルされる、請求項９に記載の方法。
【請求項１１】
前記物理層シグナリング又はＭＡＣ層シグナリングが、１つ又は複数のＵＥによるＰＤＣＣＨに対するモニタリング動作を指示するステップは、
前記物理層シグナリング又はＭＡＣ層シグナリングは、１つ又は複数のＵＥによる、後続のＮ個のスロットにおけるＰＤＣＣＨに対するモニタリング動作を指示するステップと、
前記物理層シグナリング又はＭＡＣ層シグナリングは、１つ又は複数のＵＥによる、後続のＮ個のスロットにおける１種又は複数種のＤＣＩフォーマットを有するＰＤＣＣＨに対するモニタリング動作を指示するステップと、
前記物理層シグナリング又はＭＡＣ層シグナリングは、１つ又は複数のＵＥによる、後続のＮ個のスロットにおける１種又は複数種のＲＮＴＩタイプを有するＰＤＣＣＨに対するモニタリング動作を指示するステップと、
前記物理層シグナリング又はＭＡＣ層シグナリングは、１つ又は複数のＵＥによる、後続のＮ個のスロットにおける１つ又は複数のサーチスペースに属するＰＤＣＣＨに対するモニタリング動作を指示するステップと、
前記物理層シグナリング又はＭＡＣ層シグナリングは、１つ又は複数のＵＥによる、後続のＮ個のスロットにおける１種又は複数種のサーチスペースタイプに属するＰＤＣＣＨに対するモニタリング動作を指示するステップとのうち、少なくとも１つを含み、
Ｎは１以上である、請求項８に記載の方法。
【請求項１２】
前記モニタリング動作は、
前記後続のＮ個のスロットで前記ＰＤＣＣＨをモニターするか否かと、
前記後続のＮ個のスロットの対象時間領域シンボルで前記ＰＤＣＣＨをモニターすることとを含み、
前記１つ又は複数のＵＥは、前記対象時間領域シンボルで前記ＰＤＣＣＨをモニターする、請求項１１に記載の方法。
【請求項１３】
前記後続のＮ個のスロットは、
後続のＮ個の、連続又は不連続なスロットと、
後続のＮ個の、連続又は不連続な下りスロットと、
後続のＮ個の、連続又は不連続な下りスロット及び／又はフレキシブルスロットとのうち、少なくとも１つを含み、
前記下りスロットに含まれる時間領域シンボルは、下りシンボル又はフレキシブルシンボルである、請求項１１に記載の方法。
【請求項１４】
ネットワーク側から、物理層シグナリング又は媒体アクセス制御ＭＡＣ層シグナリングを受信するための第２受信モジュールと、
前記物理層シグナリング又はＭＡＣ層シグナリングに基づいて、ユーザ機器ＵＥによる物理下り制御チャネルＰＤＣＣＨに対するモニタリング動作を決定するための第２決定モジュールとを備え、
前記物理層シグナリング又はＭＡＣ層シグナリングは前記ＵＥ又は前記ＵＥを含む複数のＵＥによるＰＤＣＣＨに対するモニタリング動作を指示する、ＵＥ。
【請求項１５】
１つ又は複数のユーザ機器ＵＥに、物理層シグナリング又は媒体アクセス制御ＭＡＣ層シグナリングを送信するための第２送信モジュールを備え、
前記物理層シグナリング又はＭＡＣ層シグナリングは前記１つ又は複数のＵＥによる物理下り制御チャネルＰＤＣＣＨに対するモニタリング動作を指示する、ネットワーク側機器。
【請求項１６】
プロセッサによって実行されると、請求項１〜７のいずれか１項に記載の物理下り制御チャネルのモニタリング方法のステップ、又は請求項８〜１３のいずれか１項に記載の下り制御チャネルのモニタリングモードの設定方法のステップが実現されるコンピュータプログラムを記憶したコンピュータ可読記憶媒体。
【国際調査報告】
2021520143.tif 000014
2021520143.tif 000015
2021520143.tif 000016
2021520143.tif 000017